(57)【要約】 【課題】  簡単な構成で、ディスクの引込、装着および排出を行うとともに記録用ヘッドを昇降させるモータを、ディスク回転のためのモータで兼用するディスク記録再生装置を提供することである。【解決手段】  伝達手段に設けられるアイドラギヤ９が噛合位置に配置されることによって、スピンドルモータ２の第１および第２方向への回転力が、ディスク案内部４３および記録用ヘッド３１に伝達される。またアイドラギヤ９が非噛合位置に配置される状態で、スピンドルモータ２の第１方向への回転力が、ターンテーブル３に伝達される。したがってディスク回転のための駆動手段に設けられるスピンドルモータ２を、ディスクの引込、装着および排出ならびに記録部４５に設けられる記録用ヘッド３１の昇降に用いることができる。【選択図】      図１
2006236444.tif 000002
【特許請求の範囲】
【請求項１】
情報を記録するためのディスクが着脱可能に装着され、ディスクを回転させる回転手段と、
ディスクを回転手段に装着させる装入位置と、ディスクの着脱操作可能な排出位置とにわたって変位可能に設けられ、ディスクを搬送する搬送手段と、
回転手段によって回転されるディスクに対して近接して情報を記録または再生する動作位置と、動作位置から離反する退避位置とにわたって変位可能な動作部を有する記録再生手段と、
第１および第２方向へ回転可能であり、第１方向へ回転することによって回転手段を回転駆動するとともに、第１および第２方向へ回転することによって搬送手段および動作部を駆動する駆動手段と、
駆動手段の回転力を搬送手段および記録再生手段の動作部に伝達可能な伝達可能状態と、駆動手段の回転力を搬送手段および記録再生手段の動作部に伝達停止する非伝達状態とに、状態切換え可能な伝達手段と、
伝達手段を、駆動手段から搬送手段に伝達される回転力に基づく力に抗して伝達可能状態に保持する状態保持位置と、伝達手段の状態の保持を解除する保持解除位置とにわたって変位可能な伝達状態保持手段とを備えることを特徴とするディスク記録再生装置。
【請求項２】
伝達手段は、
駆動手段に連結される駆動ギヤと、
回転可能に設けられ、回転することによって、搬送手段を排出位置から装入位置に向かう装入方向および装入位置から排出位置に向かう排出方向へ変位させるとともに、記録再生手段の動作部を退避位置から動作位置に向かう近接方向および動作位置から退避位置に向かう離反方向へ変位させる作動ギヤと、
回転可能に設けられ、駆動ギヤの回転力を作動ギヤに伝達する噛合位置と、駆動ギヤの回転力の作動ギヤへの伝達を停止する非噛合位置とにわたって変位可能なアイドラギヤとを有することを特徴とする請求項１に記載のディスク記録再生装置。
【請求項３】
前記駆動手段の第１方向への回転力が伝達されると、搬送手段は、排出方向および装入方向のうちいずれか一方へ変位駆動されるとともに、記録再生手段の動作部は、離反方向および近接方向のうちいずれか一方へ変位駆動され、
前記駆動手段の第２方向への回転力が伝達されると、搬送手段は、排出方向および装入方向のうちいずれか他方へ変位駆動されるとともに、記録再生手段の動作部は、離反方向および近接方向のうちいずれか他方へ変位駆動され、
伝達手段は、伝達可能状態で、動作部が退避位置にある状態で、搬送手段に装入方向および排出方向へ変位させる回転力を伝達し、搬送手段が装入位置にある状態で、動作部に近接方向および離反方向へ変位させる回転力を伝達することを特徴とする請求項１または２に記載のディスク記録再生装置。
【請求項４】
排出位置にある搬送手段に対するディスクの装着完了および回転手段に対するディスクの装着完了を検出する検出手段と、
情報を記録する記録指示を表す記録指示情報および情報を再生する再生指示を表す再生指示情報を入力するための操作入力手段と、
操作入力手段による入力結果および検出手段による検出結果に基づいて、前記駆動手段を制御する制御手段とを備えることを特徴とする請求項１〜３のいずれか１つに記載のディスク記録再生装置。
【請求項５】
前記検出手段によって、前記ディスクの搬送手段に対する装着完了が検出されると、前記制御手段は、伝達手段を伝達可能状態に切換え、前記駆動手段を第２方向へ回転させることを特徴とする請求項４に記載のディスク記録再生装置。
【請求項６】
前記検出手段によって、搬送手段が装入方向へ変位されてディスクが装入位置に配置されて、装入完了されたことが検出されると、記録指示情報が入力されている場合、前記駆動手段の第２方向への回転を継続し、再生指示情報が入力されている場合、前記駆動手段の第２方向への回転を停止させることを特徴とする請求項５に記載のディスク記録再生装置。
【請求項７】
前記検出手段は、前記搬送手段の移動によってスイッチング態様が切換え操作されるスイッチ手段であることを特徴とする請求項４〜６のいずれか１つに記載のディスク記録再生装置。
【請求項８】
前記制御手段は、伝達状態保持手段の位置および駆動手段の回転方向のうち、少なくとも駆動手段の回転方向を制御することによって、伝達手段の状態を切換えることを特徴とする請求項１〜７のいずれか１つに記載のディスク記録再生装置。
【請求項９】
伝達手段は、
駆動手段に連結される駆動ギヤと、
回転可能に設けられ、回転することによって、搬送手段を装入方向および排出方向へ変位させるとともに、記録再生手段の動作部を近接方向および離反方向へ変位させる作動ギヤと、
回転可能に設けられ、駆動ギヤの回転力を作動ギヤに伝達する噛合位置と、駆動ギヤの回転力の作動ギヤへの伝達を停止する非噛合位置とにわたって変位可能なアイドラギヤとを有し、
アイドラギヤは、駆動手段が第１方向へ回転するとき、噛合位置から非噛合位置に向かう噛合解除方向への力を受け、駆動手段が第２方向へ回転するとき、非噛合位置から噛合位置に向かう噛合方向への力を受け、
伝達状態保持手段を保持解除位置に配置して、前記駆動手段が第１方向へ回転されることによって、前記アイドラギヤが非噛合位置に配置されることを特徴とする請求項８に記載のディスク記録再生装置。
【請求項１０】
伝達手段は、
駆動手段に連結される駆動ギヤと、
回転可能に設けられ、回転することによって、搬送手段を装入方向および排出方向へ変位させるとともに、記録再生手段の動作部を近接方向および離反方向へ変位させる作動ギヤと、
回転可能に設けられ、駆動ギヤの回転力を作動ギヤに伝達する噛合位置と、駆動ギヤの回転力の作動ギヤへの伝達を停止する非噛合位置とにわたって変位可能なアイドラギヤとを有し、
駆動手段が第２方向へ回転されることによって、または駆動手段が第１方向へ回転される場合に伝達状態保持手段を状態保持位置に配置させることによって、前記アイドラギヤが噛合位置に配置されることを特徴とする請求項８または９に記載のディスク記録再生装置。
【請求項１１】
前記アイドラギヤが、非噛合位置に配置されるとき、記録再生手段によってディスクに対して情報が記録または再生され、
前期アイドラギヤが、噛合位置に配置されるとき、前記ディスクが搬送手段によって搬送されることを特徴とする請求項２、９または１０に記載のディスク記録再生装置。
【請求項１２】
前記アイドラギヤが、噛合位置に配置される状態で、前記駆動手段が第１方向へ回転することによって、搬送手段が排出方向へ変位駆動され、前記駆動手段が第２方向へ回転することによって、搬送手段が装入方向へ変位駆動されることを特徴とする請求項１１に記載のディスク記録再生装置。
【請求項１３】
前記アイドラギヤが、噛合位置に配置される状態で、搬送手段が排出位置にある状態から、前記駆動手段が第２方向へ回転することによって、搬送手段が装入方向へ駆動され、ディスクが回転手段に装着される位置に搬送され、その後、さらに、駆動手段が第２方向へ回転することによって、動作部が近接方向へ駆動されて動作位置に配置され、
この状態から、前記駆動手段が第１方向へ回転することによって、動作部が離反方向へ駆動されて退避位置に配置され、その後、さらに、駆動手段が第１方向へ回転することによって、搬送手段が排出方向へ駆動され、ディスクが着脱操作可能な位置に搬送されることを特徴とする請求項１１に記載のディスク記録再生装置。
【発明の詳細な説明】
【技術分野】
【０００１】
本発明は、ディスクの自動引込および自動排出装置を備えるＭＤレコーダーなどのディスク記録再生装置に関する。
【背景技術】
【０００２】
従来より、このような、ディスクの自動引込および自動排出装置を備えたＭＤレコーダーなどのディスク記録再生装置は、一般に、ディスクの回転用モータおよび光ピックアップなどのディスク読取部の動作用モータを有しており、またこれらとは別に、ディスクの引込、装着および排出用と記録用ヘッド昇降用とを兼ねたモータの、合計３個のモータを備えている。
【０００３】
図１８は、このような機能を備えた従来の技術のディスク記録再生装置における、ディスク引込および排出装置と記録用ヘッド昇降装置の、一部の部品構成を示す平面図であり、図１９はその側面図である。また図２０は、図１８に描かれている部品の上部空間に配置される部品を示す平面図であり、図２１はその側面図である。さらに、図２２は、図２０の一部の部品を抜出して示す平面図であり、図２３は図２１の一部の部品を抜出して示す側面図である。
【０００４】
図１８に示すように、ディスク記録再生装置の胴部であるシャーシ１００には、その内側の一角近傍に、ローディングモータ１０１が取付けられており、ローディングモータ１０１の回転軸には、モータギヤ１０２が圧入されていて、ローディングモータ１０１の回転軸と一体となって回転する。さらに、シャーシ１００には減速ギヤＡ１０３、減速ギヤＢ１０４およびカムギヤＣ１０５が取付けられている。
【０００５】
そして、モータギヤ１０２は減速ギヤＡ１０３のギヤ１０３ａと、減速ギヤＡ１０３のギヤ１０３ｂは減速ギヤＢ１０４の大歯車１０４ａと、減速ギヤＢ１０４の小歯車１０４ｂはカムギヤＣ１０５の歯車１０５ｂと、それぞれ噛合状態になるよう配設されている。したがってローディングモータ１０１が作動すると、その回転駆動力がモータギヤ１０２から減速ギヤＡ１０３および減速ギヤＢ１０４を経て、カムギヤＣ１０５にまで伝達される。
【０００６】
またカムプレート１０６が、カムギヤＣ１０５の歯車１０５ｂ一端付近より上方に延びる円筒形状のボス１０５ａと、溝部１０６ａで係合しており、シャーシ１００の上面において、前後方向へ移動可能に取付けられている。つまり、カムギヤＣ１０５の回転にともなって、カムプレート１０６が、ディスクがターンテーブル１１６に装着される位置からディスクが着脱操作可能な位置に向かう排出方向である矢符Ａ方向、換言すると装置手前方向へ移動する。またカムギヤＣ１０５の回転にともなって、カムプレート１０６が、ディスクが着脱操作可能な位置からディスクがターンテーブル１１６に装着される位置に向かう装入方向である矢符Ｂ方向、換言すると、装置奥部方向へ移動する。さらに、図１９に示すように、カムプレート１０６上には、ＳＷプレート１０７が前後方向へ一体的に移動可能に取付けられており、カムプレート１０６およびＳＷプレート１０７を繋ぐＳＷプレートスプリング１０８によって、矢符Ｂ方向へ付勢されている。
【０００７】
前記カムプレート１０６は、側面にガイド孔１０６ｂおよび１０６ｃを有しており、図２０および図２１に示すように、カートリッジホルダ１０９およびホルダーアーム１１０を支えつつ高さを規制している。カートリッジホルダ１０９は、ディスクカートリッジ５０を収納するものであり、そのアーム部１０９ａが、シャーシ１００前部に設けたホルダーアーム１１０のフック部１１０ａで持上げ支持されている。またその側面のバーリング部、換言すると、突出し孔部１０９ｃが、カムプレート１０６側面のガイド孔１０６ｃに嵌合しており、前記ガイド孔１０６ｃによって高さ方向の位置が規制され保持されている。
【０００８】
ホルダーアーム１１０は、シャーシ１００前部から上方向であるディスクの回転軸線に平行な矢符Ｄ方向へ伸びる左右２箇所の支持部１００aおよび１００ｂに、ホルダーアーム１１０前部で左右２箇所の支点孔１１０ｂおよび１１０ｄが嵌合されて回動可能に取付けられているとともに、左側後方に位置するバーリング部１１０ｃをカムプレート１０６側面のガイド孔１０６ｂ内に配置させ、前記ガイド孔１０６ｂによって高さ方向の位置が規制されている。
【０００９】
スライダー１１１は、カートリッジホルダ１０９内にあって、このスライダー１１１上部に設けられたスライダーシャフト１１１ａおよび１１１ｂが、前記カートリッジホルダ１０９上面のガイド孔１０９ｄに沿って、前後方向へ、換言すると、装入方向および排出方向へ移動できるよう配されており、ディスクカートリッジ５０と係合して、前記ディスクカートリッジ５０を装置内部である装入方向へ引込み、または排出方向へ装置内部から排出する働きを持つ。
【００１０】
ＬＤアーム１１２は、カートリッジホルダ１０９上面に突設する支点軸１０９ｅを中心として回動可能に取付けられている。そして、図２２に示すように、その先端部１１２ａがＳＷプレート１０７の口型形状部１０７ａの中に、摺動可能な状態で位置しており、また他端部の二股形状部１１２ｂでスライダーシャフト１１１ａを挟持しつつこれと摺接している。
【００１１】
図１８に戻って、記録用ヘッド昇降レバーＡ１１３は、シャーシ１００の図示しない軸を中心として回動可能に取付けられており、その一端１１３ａはカムギヤＣ１０５上部のカムと摺接し、他端１１３ｂは記録用ヘッド昇降レバーＢ１１４の左端部１１４ａと係合している。また記録用ヘッド昇降レバーＢ１１４は、シャーシ１００の図示しない軸を中心として回動可能に取付けられており、壁部１１４ｂは記録用ヘッド１１５と摺接している。この構成において、カムギヤＣ１０５が回転すると、記録用ヘッド昇降レバーＡ１１３の揺動運動を介して記録用ヘッド昇降レバーＢ１１４が回動し、記録用ヘッド１１５をディスクに接触させ、またはディスクから離間させる。
【００１２】
前記構成のディスク記録再生装置では、ディスクを引込装着する場合、ローディングモータ１０１を回転軸方向から見て反時計回りに回転させる。このとき、モータギヤ１０２も反時計回りに回転する。この回転が、それぞれ噛合状態にある減速ギヤＡ１０３および減速ギヤＢ１０４を経て、カムギヤＣ１０５に伝達される。このとき、カムギヤＣ１０５は反時計回りに回転しており、カムプレート１０６の溝部１０６ａはカムギヤＣ１０５のボス１０５ａと噛合状態にあるので、カムプレート１０６は排出方向へ移動する。
【００１３】
さらに、ＬＤアーム１１２の先端部１１２ａは、ＳＷプレート１０７の口型形状部１０７ａによって排出方向へ押されるので、ＬＤアーム１１２は反時計回りに回動する。このとき、ディスクカートリッジ５０と係合しているスライダー１１１は、スライダーシャフトＡ１１１ａがＬＤアーム１１２の二股形状部１１２ｂに押圧されることによって、装置奥部、換言すると、装入方向へ移動する。
【００１４】
装置奥部方向への移動が完了した後も、カムプレート１０６は排出方向への移動を続ける。このとき、カムプレート１０６側面のガイド孔１０６ｂの中に位置するホルダーアーム１１０のバーリング部１１０ｃおよびカムプレート１０６側面の別のガイド孔１０６ｃの中に位置するカートリッジホルダ１０９側面のバーリング部１０９ｃが、それぞれガイド孔１０６ｂ，１０６ｃの形状に沿うように移動する。
【００１５】
したがってカートリッジホルダ１０９側面のバーリング部１０９ｃは、下方向、換言すると、矢符Ｃ方向へ移動する。これによって、カートリッジホルダ１０９も下方向へ移動し、装置内部に保持したディスクをターンテーブル１１６に装着する位置まで降下させる。その後、図示しない検出装置によりＳＷプレート１０７の位置が検出されると、装着完了と判断される。
【００１６】
さらに、カムギヤＣ１０５が回転を続けると、カムプレート１０６の溝部１０６ａの円弧部とカムギヤＣ１０５のボス１０５ａが摺接することによって、カムプレート１０６は排出方向への移動を停止したままで、カムギヤＣ１０５上部のカムが記録用ヘッド昇降レバー１１３の一端１１３ａと当接することによって、記録用ヘッド昇降レバーＢ１１４を介して記録用ヘッド１１５をディスクに接触させる。その後、図示しない検出装置によって記録可能状態と判断される。
【００１７】
ディスクの排出時は、前記ディスク装着状態、換言すると、ディスクがターンテーブル１１６に装着されている状態にあるとき、ローディングモータ１０１が時計回りに回転することによって、モータギヤ１０２も時計回りに回転する。そして、引込時と同様に、モータギヤ１０２の回転は、減速ギヤＡ１０３および減速ギヤＢ１０４を経て、カムギヤＣ１０５に伝達される。このとき、カムギヤＣ１０５は時計回りに回転しており、カムプレート１０６の溝部１０６ａの円弧部が、カムギヤＣ１０５のボス１０５ａと摺接しているので、カムプレート１０６は移動を停止したまま、カムギヤＣ１０５上のカムが記録用ヘッド昇降レバー１１３の一端１１３ａと当接する。これによって、記録用ヘッド昇降レバーＢ１１４を介して記録用ヘッド１１５をディスクから離間させる。
【００１８】
その後、カムプレート１０６の溝部１０６ａの円弧部からボス１０５ａの摺接が外れ、カムプレート１０６は装入方向へ移動する。このとき、カムプレート１０６側面のガイド孔１０６ｂの中に位置するホルダーアーム１１０のバーリング部１１０ｃおよびカムプレート１０６側面の別のガイド孔１０６ｃの中に位置するカートリッジホルダ１０９側面のバーリング部１０９ｃは、それぞれガイドに沿って上方向、換言すると、矢符Ｄ方向に移動する。これによって、カートリッジホルダ１０９も上方向へ移動する。
【００１９】
上方向への移動が完了した後も、カムプレート１０６は装入方向への移動を続ける。これにより、ＬＤアーム１１２の先端部１１２ａは、ＳＷプレート１０７の口型形状部１０７ａによって装入方向へ押されるので、ＬＤアーム１１２は時計回りに回動する。このとき、ディスクカートリッジ５０と係合しているスライダー１１１は、スライダーシャフトＡ１１１ａがＬＤアーム１１２の二股形状部１１２ｂに押されることによって、ディスクを排出方向へ移動させる。排出が完了すると、図示しない検出装置によってカムプレート１０７の位置が検出され、排出完了と判断されると、モータの回転が停止する。
【００２０】
ところが、前述したような従来のディスク記録再生装置では、ディスク記録再生時にディスクを回転させるモータおよび光ピックアップなどのディスク読取り部の動作用モータとは別に、ディスクの引込、装着および排出を行いかつ記録用ヘッドを昇降するための専用のローディングモータを必要とするので、装置の薄形軽量化を阻害し、また高価になる欠点を有していた。
【００２１】
このような不具合を解消するために、特許文献１〜３および５のディスク記録再生装置は、ディスク回転駆動用のモータを、ローディング／アンローディングの操作などの、他のディスク動作の駆動用モータとして利用するように構成されている。また特許文献４のディスク記録再生装置は、複数のディスクを保持可能な装置であり、記録再生手段を昇降させて任意のディスクトレイの高さに位置決めする第１位置決め手段と、ディスクトレイをディスク収納位置、装置外の位置、および再生位置の間で移送する移送手段を昇降させる第２位置決め手段とを、モータの回転方向で切り換えるように構成されている。
【００２２】
【特許文献１】特開平６−３６５１５号公報
【特許文献２】特開平７−７３６１０号公報
【特許文献３】特開平１１−８６４００号公報
【特許文献４】特開平１０−１３４４７５号公報
【特許文献５】特開２００４−２８０９０６号公報
【発明の開示】
【発明が解決しようとする課題】
【００２３】
しかしながら、前記特許文献１〜特許文献４に記載されているような構成では、モータの駆動をディスクの搬送に利用するので、またはディスクの引込および排出の動作を制御するので、複雑な構成が必要である。また当該モータを記録用ヘッドの昇降装置に利用することについては開示されていない。また特許文献５に記載されている構成でも、当該モータを記録用ヘッドの昇降装置に利用することについては開示されていない。
【００２４】
本発明の目的は、このような問題点に鑑みなされたものであり、簡単な構成で、ディスクの引込、装着および排出を行うとともに記録用ヘッドを昇降させるモータを、ディスク回転のためのモータで兼用するディスク記録再生装置を提供することである。
【課題を解決するための手段】
【００２５】
本発明は、情報を記録するためのディスクが着脱可能に装着され、ディスクを回転させる回転手段と、
ディスクを回転手段に装着させる装入位置と、ディスクの着脱操作可能な排出位置とにわたって変位可能に設けられ、ディスクを搬送する搬送手段と、
回転手段によって回転されるディスクに対して近接して情報を記録または再生する動作位置と、動作位置から離反する退避位置とにわたって変位可能な動作部を有する記録再生手段と、
第１および第２方向へ回転可能であり、第１方向へ回転することによって回転手段を回転駆動するとともに、第１および第２方向へ回転することによって搬送手段および動作部を駆動する駆動手段と、
駆動手段の回転力を搬送手段および記録再生手段の動作部に伝達可能な伝達可能状態と、駆動手段の回転力を搬送手段および記録再生手段の動作部に伝達停止する非伝達状態とに、状態切換え可能な伝達手段と、
伝達手段を、駆動手段から搬送手段に伝達される回転力に基づく力に抗して伝達可能状態に保持する状態保持位置と、伝達手段の状態の保持を解除する保持解除位置とにわたって変位可能な伝達状態保持手段とを備えることを特徴とするディスク記録再生装置である。
【００２６】
本発明に従えば、ディスク記録再生装置には、伝達可能状態と非伝達状態とに、状態切換え可能な伝達手段が設けられている。伝達手段が伝達可能状態である場合、駆動手段の第１および第２方向への回転力を搬送手段および動作部に伝達することができる。伝達手段が伝達可能状態から非伝達状態に状態が切換えられる場合、駆動手段の回転力を搬送手段および動作部に伝達停止することができる。たとえば駆動手段が、第１方向へ回転することによって、伝達手段は伝達可能状態から非伝達状態に状態を切換え、また駆動手段が、第２方向へ回転することによって、伝達手段は非伝達状態から伝達可能状態に状態を切換える場合において、伝達手段が、非伝達状態である場合でも、駆動手段が第２方向へ回転することによって、伝達手段は、非伝達状態から伝達可能状態に状態が切換えられ、駆動手段の回転力を搬送手段および動作部に伝達することができる。
【００２７】
また伝達手段が伝達可能状態である場合において、搬送手段は、伝達される駆動手段の回転力に基づいて、装入位置と排出位置とにわたって変位することができ、動作部は、伝達される駆動手段の回転力に基づいて、動作位置と退避位置とにわたって変位することができる。したがって伝達手段の状態を切換えることによって駆動手段の回転力を搬送手段および動作部に伝達することができ、または伝達停止することができる。
【００２８】
またディスク記録再生装置には、状態保持位置と保持解除位置とにわたって変位可能な伝達状態保持手段が設けられており、伝達状態保持手段が状態保持位置に配置されることによって、駆動手段から搬送手段に伝達される回転力に基づく力に抗して、伝達手段を伝達可能状態に保持することができ、また伝達状態保持手段が保持解除位置に配置されることによって、伝達手段の状態の保持を解除することができる。これによって伝達状態保持手段が状態保持位置または保持解除位置に変位することによって伝達手段の状態を変位させることができる。したがって伝達状態保持手段が、状態保持位置に変位して、伝達手段が伝達可能状態に保持されると、駆動手段の第１および第２方向への回転力を、搬送手段および動作部に伝達することができ、また伝達状態保持手段が、保持解除位置に変位して伝達手段が伝達可能状態を保持解除され、非伝達状態に切換えられると、駆動手段の回転力を、搬送手段および動作部に伝達停止することができる。たとえば駆動手段が、第１方向へ回転することによって、伝達手段は伝達可能状態から非伝達状態に状態を切換え、また駆動手段が、第２方向へ回転することによって、伝達手段は非伝達状態から伝達可能状態に状態を切換える場合において、伝達手段が、伝達可能状態を保持解除され、非伝達状態に切換えられても、駆動手段の第２方向へ回転することによって、伝達手段は、非伝達状態から伝達可能状態に状態が切換えられ、駆動手段の回転力を搬送手段および動作部に伝達することができる。
【００２９】
また本発明は、伝達手段は、
駆動手段に連結される駆動ギヤと、
回転可能に設けられ、回転することによって、搬送手段を排出位置から装入位置に向かう装入方向および装入位置から排出位置に向かう排出方向へ変位させるとともに、記録再生手段の動作部を退避位置から動作位置に向かう近接方向および動作位置から退避位置に向かう離反方向へ変位させる作動ギヤと、
回転可能に設けられ、駆動ギヤの回転力を作動ギヤに伝達する噛合位置と、駆動ギヤの回転力の作動ギヤへの伝達を停止する非噛合位置とにわたって変位可能なアイドラギヤとを有することを特徴とする。
【００３０】
本発明に従えば、伝達手段には、噛合位置と非噛合位置とにわたって変位可能なアイドラギヤが設けられており、アイドラギヤが噛合位置に変位することによって、駆動手段の回転力、具体的には、駆動手段に連結される駆動ギヤの回転力を作動ギヤに伝達することができる。これによって作動ギヤは、搬送手段を装入方向および排出方向へ変位させることができ、動作部を近接方向および離反方向へ変位させることができる。したがって伝達手段によって、具体的には、駆動ギヤ、アイドラギヤおよび作動ギヤによって、駆動手段の回転力を搬送手段および動作部に伝達することができる。
【００３１】
また本発明は、前記駆動手段の第１方向への回転力が伝達されると、搬送手段は、排出方向および装入方向のうちいずれか一方へ変位駆動されるとともに、記録再生手段の動作部は、離反方向および近接方向のうちいずれか一方へ変位駆動され、
前記駆動手段の第２方向への回転力が伝達されると、搬送手段は、排出方向および装入方向のうちいずれか他方へ変位駆動されるとともに、記録再生手段の動作部は、離反方向および近接方向のうちいずれか他方へ変位駆動され、
伝達手段は、伝達可能状態で、動作部が退避位置にある状態で、搬送手段に装入方向および排出方向へ変位させる回転力を伝達し、搬送手段が装入位置にある状態で、動作部に近接方向および離反方向へ変位させる回転力を伝達することを特徴とする。
【００３２】
本発明に従えば、伝達手段が、伝達可能状態に位置することによって、駆動手段の第１および第２方向への回転力に基づいて、搬送手段を排出方向および装入方向へ変位させることができ、また動作部を離反方向および近接方向へ変位させることができる。これによって駆動手段の一方の回転方向への回転力が伝達されると、搬送手段および動作部は、一方の方向へ変位することができ、駆動手段の他方の回転方向への回転力が伝達されると、搬送手段および動作部は、他方の方向へ変位することができる。
【００３３】
また伝達手段は、伝達可能状態で、動作部が退避位置にある場合、搬送手段に装入方向および排出方向へ変位させる回転力を伝達する。また伝達手段は、伝達可能状態で、搬送手段が装入位置にある場合、動作部に近接方向および離反方向へ変位させる回転力を伝達する。これによって搬送手段と動作部との当接を避けることができ、駆動手段の第１および第２方向への回転力に基づいて、搬送手段によってディスクを装入方向および排出方向へ搬送させることができる。また駆動手段の第１および第２方向への回転力に基づいて、動作部を、近接方向および退避方向へ変位させることができる。
【００３４】
また本発明は、排出位置にある搬送手段に対するディスクの装着完了および回転手段に対するディスクの装着完了を検出する検出手段と、
情報を記録する記録指示を表す記録指示情報および情報を再生する再生指示を表す再生指示情報を入力するための操作入力手段と、
操作入力手段による入力結果および検出手段による検出結果に基づいて、前記駆動手段を制御する制御手段とを備えることを特徴とする。
【００３５】
本発明に従えば、制御手段は、検出手段による検出結果および使用者によって操作入力手段に入力される情報に基づいて、駆動手段を第１方向および第２方向へ回転するように制御することができる。したがってディスクの装着完了および使用者による再生指示または記録指示に基づいて駆動手段の回転方向を制御することができる。
【００３６】
また本発明は、前記検出手段によって、前記ディスクの搬送手段に対する装着完了が検出されると、前記制御手段は、伝達手段を伝達可能状態に切換え、前記駆動手段を第２方向へ回転させることを特徴とする。
【００３７】
本発明に従えば、検出手段によって、排出位置にある搬送手段に対するディスクの装着完了が検出されると、制御手段は、伝達手段を伝達可能状態に切換える。また制御手段は、駆動手段を第２方向へ回転させる。これによって検出手段による検出結果に基づいて、制御手段は、駆動手段の回転を開始するよう制御することができる。また伝達手段が伝達可能状態となることによって、駆動手段の第２方向への回転力を搬送手段および動作部に伝達させることができる。したがって検出手段によるディスクの装着完了の検出結果に基づいて、制御手段が伝達手段を伝達可能状態に切換え、駆動手段を第２方向へ回転させることによって、搬送手段を排出位置から装入位置に変位させ、ディスクを装入方向へ搬送することができる。ここで、検出手段によるディスクの装着完了の検出は、ディスクが着脱操作可能な位置で使用者がディスクを装着位置に装着し、装置奥へ押し込むなどの動作によってされてもよい。
【００３８】
また本発明は、前記検出手段によって、搬送手段が装入方向へ変位されてディスクが装入位置に配置されて、装入完了されたことが検出されると、記録指示情報が入力されている場合、前記駆動手段の第２方向への回転を継続し、再生指示情報が入力されている場合、前記駆動手段の第２方向への回転を停止させることを特徴とする。
【００３９】
本発明に従えば、使用者によって操作入力手段に記録指示情報が入力されている場合、検出手段によって、ディスクが回転手段に装着させる位置に搬送され、ディスクの装入完了が検出されると、制御手段は、駆動手段を第２方向への回転を継続するように制御する。これによって制御手段は、駆動手段の回転力を動作部に伝達することができるので、動作部を退避位置と動作位置とにわたって変位させることができる。また使用者によって操作入力手段への再生指示情報が入力されている場合、検出手段によって、ディスクの装入完了が検出されると、制御手段は、駆動手段を第２方向への回転を停止するように制御する。これによって駆動手段の回転力を搬送手段および動作部に伝達停止することができるので、駆動手段の回転力は、搬送手段および記録再生手段の動作部には伝達されない。
【００４０】
また本発明は、前記検出手段は、前記搬送手段の移動によってスイッチング態様が切換え操作されるスイッチ手段であることを特徴とする。
【００４１】
本発明に従えば、検出手段は、搬送手段の移動によって係脱されるスイッチ手段であり、搬送手段が、所定位置にある場合、具体的には、装入位置および排出位置に位置している場合、搬送手段と検出手段は係合している。また搬送手段が、それ以外の位置、具体的には、装入位置と排出位置とにわたって変位している位置にある場合、搬送手段と検出手段は離間している。換言すると、搬送手段の移動によって検出手段のスイッチング態様が切換えられる。これによって搬送手段が、検出手段と係合しているか否かで、搬送手段の位置、具体的には、ディスクが回転手段に装着される位置またはディスクが着脱操作可能な位置にあるか否かを検出することができる。
【００４２】
さらに具体的には、ディスクが着脱操作可能な位置にあるとき、搬送手段が検出手段、換言するとスイッチ手段を押す構成であれば、このスイッチ手段が押されることによって、検出手段は、ディスクの排出を検出することできる。またディスクが回転手段に装着される位置にあるとき、搬送手段が検出手段、換言するとスイッチ手段を押す構成であれば、このスイッチ手段が押されることによって、検出手段は、ディスクが回転手段に装着されたことを検出することできる。これによって、簡単な構成で、ディスクの位置を検出することができ、その検出結果に基づいて、制御手段が、タイミング良く駆動手段の回転を開始、継続または停止するように制御することができる。
【００４３】
また本発明は、前記制御手段は、伝達状態保持手段の位置および駆動手段の回転方向のうち、少なくとも駆動手段の回転方向を制御することによって、伝達手段の状態を切換えることを特徴とする。
【００４４】
本発明に従えば、制御手段が、駆動手段の回転方向を制御することによって、伝達手段、具体的にはアイドラギヤを噛合位置と非噛合位置とに状態を切換えることができる。また駆動手段の回転方向および伝達状態保持手段を状態保持位置および保持解除位置に制御することによって、伝達手段、具体的にはアイドラギヤを噛合位置と非噛合位置とに状態を切換えることができる。したがって制御手段は、状態保持手段の位置および駆動手段の回転方向のうち、少なくとも駆動手段の回転方向を制御することによって、伝達手段の伝達状態を切換えることができる。
【００４５】
また本発明は、伝達手段は、
駆動手段に連結される駆動ギヤと、
回転可能に設けられ、回転することによって、搬送手段を装入方向および排出方向へ変位させるとともに、記録再生手段の動作部を近接方向および離反方向へ変位させる作動ギヤと、
回転可能に設けられ、駆動ギヤの回転力を作動ギヤに伝達する噛合位置と、駆動ギヤの回転力の作動ギヤへの伝達を停止する非噛合位置とにわたって変位可能なアイドラギヤとを有し、
アイドラギヤは、駆動手段が第１方向へ回転するとき、噛合位置から非噛合位置に向かう噛合解除方向への力を受け、駆動手段が第２方向へ回転するとき、非噛合位置から噛合位置に向かう噛合方向への力を受け、
伝達状態保持手段を保持解除位置に配置して、前記駆動手段が第１方向へ回転されることによって、前記アイドラギヤが非噛合位置に配置されることを特徴とする。
【００４６】
本発明に従えば、アイドラギヤは、駆動手段の第１方向への回転によって、噛合解除方向へ力を受け、駆動手段の第２方向への回転によって、非噛合解除方向へ力を受けるので、伝達状態保持手段が、保持解除位置に配置している場合、駆動手段の第１方向への回転によって、アイドラギヤが噛合解除方向へ力を受け、非噛合位置に変位することができる。したがって制御手段は、駆動手段の第１方向への回転力のみによって、アイドラギヤを非噛合方向へ変位させ、非噛合位置に配置することができ、簡単な構成で駆動手段の第1方向への回転力を搬送手段および動作部に伝達しない状態にすることができる。
【００４７】
また本発明は、伝達手段は、
駆動手段に連結される駆動ギヤと、
回転可能に設けられ、回転することによって、搬送手段を装入方向および排出方向へ変位させるとともに、記録再生手段の動作部を近接方向および離反方向へ変位させる作動ギヤと、
回転可能に設けられ、駆動ギヤの回転力を作動ギヤに伝達する噛合位置と、駆動ギヤの回転力の作動ギヤへの伝達を停止する非噛合位置とにわたって変位可能なアイドラギヤとを有し、
駆動手段が第２方向へ回転されることによって、または駆動手段が第１方向へ回転される場合に伝達状態保持手段を状態保持位置に配置させることによって、前記アイドラギヤが噛合位置に配置されることを特徴とする。
【００４８】
本発明に従えば、駆動手段の第２方向への回転によって、アイドラギヤが噛合方向へ力を受け、噛合位置に配置される。またアイドラギヤが噛合位置に配置されている位置を保持させたままで駆動手段を第１方向へ回転させる必要がある場合、制御手段は、伝達状態保持手段を状態保持位置に配置することによって、アイドラギヤを噛合位置に保持する。これによって駆動手段の第２方向への回転力のみでアイドラギヤを噛合位置に配置させることができる。またアイドラギヤを噛合位置に配置する状態で、伝達状態保持手段を状態保持位置に配置することによって、アイドラギヤを非噛合位置へ変位させることなく、噛合位置に保持させたままで駆動手段の第１方向への回転力を、搬送手段および動作部に伝達することができる。
【００４９】
また本発明は、前記アイドラギヤが、非噛合位置に配置されるとき、記録再生手段によってディスクに対して情報が記録または再生され、
前期アイドラギヤが、噛合位置に配置されるとき、前記ディスクが搬送手段によって搬送されることを特徴とする。
【００５０】
本発明に従えば、アイドラギヤが非噛合位置に配置されるとき、駆動手段の回転力を搬送手段および動作部に伝達することなくディスクを回転させて再生または記録することができる。またアイドラギヤが噛合位置に配置されるとき、駆動手段の回転力が、アイドラギヤに伝達され、またアイドラギヤの回転が作動ギヤに伝達されることによって、搬送手段および動作部に伝達され、ディスクを搬送することができる。
【００５１】
また本発明は、前記アイドラギヤが、噛合位置に配置される状態で、前記駆動手段が第１方向へ回転することによって、搬送手段が排出方向へ変位駆動され、前記駆動手段が第２方向へ回転することによって、搬送手段が装入方向へ変位駆動されることを特徴とする。
【００５２】
本発明に従えば、アイドラギヤが噛合位置に配置される状態で、駆動手段を第１方向または第２方向へ回転することによって、駆動手段の回転方向に基づいて、搬送手段を排出方向または装入方向へ変位駆動することができる。したがって簡単な構成で搬送手段の変位方向を切換えることができる。
【００５３】
また本発明は、前記アイドラギヤが、噛合位置に配置される状態で、搬送手段が排出位置にある状態から、前記駆動手段が第２方向へ回転することによって、搬送手段が装入方向へ駆動され、ディスクが回転手段に装着される位置に搬送され、その後、さらに、駆動手段が第２方向へ回転することによって、動作部が近接方向へ駆動されて動作位置に配置され、
この状態から、前記駆動手段が第１方向へ回転することによって、動作部が離反方向へ駆動されて退避位置に配置され、その後、さらに、駆動手段が第１方向へ回転することによって、搬送手段が排出方向へ駆動され、ディスクが着脱操作可能な位置に搬送されることを特徴とする。
【００５４】
本発明に従えば、アイドラギヤが噛合位置に配置される状態で、搬送手段が排出位置にある状態から、駆動手段が第２方向へ回転しているとき、搬送手段によってディスクは、着脱操作可能な位置から回転手段に装着される位置まで搬送され、再生可能な状態に至り、その後、動作部が近接方向へ駆動されて動作位置に配置されて、再生可能な状態から記録可能状態となる。またこの状態から、駆動手段が第１方向へ回転することによって、動作部が離反方向へ駆動されて退避位置に配置されて、記録可能状態から再生可能状態に至り、その後、搬送手段によって、ディスクは回転手段に装着される位置から着脱操作可能な位置まで搬送される一連の動作を行うことができる。したがってアイドラギヤの噛合位置を選択することのみによって、駆動手段の第１および第２方向への回転で、ディスクの搬送および動作部の変位によるディスクの記録可能状態および再生可能状態への変位の一連の動作を切換えることができる。
【００５５】
またアイドラギヤが噛合位置に配置され、駆動手段の回転力がアイドラギヤを介して搬送手段および動作部に伝達されることによって、ディスクの装着および排出の２方向の動作と、動作部の近接方向と離反方向との２方向への動作をすることができ、ディスクの回転に用いる駆動手段を、搬送手段によるディスクの搬送および動作部の変位に用いることができる。
【発明の効果】
【００５６】
本発明によれば、伝達手段の状態を伝達可能状態と非伝達状態とに、切換えることによって、駆動手段の回転力を搬送手段および動作部に伝達することができ、または伝達停止することができる。また伝達状態保持手段が状態保持位置に変位され、伝達手段が伝達可能状態に保持されると、駆動手段の第１および第２方向への回転力を、搬送手段および動作部に伝達することができ、また伝達手段が伝達可能状態を保持解除され、非伝達状態に切換えられると、駆動手段の第１および第２回転の回転力を、搬送手段および動作部に伝達停止することができる。したがって簡単な構成で、駆動手段の回転力を搬送手段および動作部に伝達したり、伝達停止することができ、必要に応じて伝達経路を選択可能にする。またディスクを回転するための駆動手段によって、ディスクの引込および装着ならびに排出を行うとともに動作部を変位させるディスク記録再生装置を提供することができる。
【００５７】
本発明によれば、伝達手段によって、具体的には、駆動ギヤ、アイドラギヤおよび作動ギヤによって、駆動手段の回転力を搬送手段および動作部に伝達することができ、ディスクを装入および排出することができ、また動作部を変位させることができる。したがって簡単な構成で、ディスクの引込および装着ならびに排出を行うとともに動作部を変位させる駆動手段を、ディスクを回転するための駆動手段で兼用するディスク記録再生装置を提供することができる。
【００５８】
本発明によれば、搬送手段と動作部との当接を避けつつ、駆動手段の第１および第２方向への回転力に基づいて、搬送手段によってディスクを装入方向および排出方向へ搬送させ、また動作部を近接方向および退避方向へ変位させることができる。したがって簡単な構成で、ディスクの引込および装着ならびに排出を行うとともに動作部を変位させる駆動手段を、ディスクを回転するための駆動手段で兼用するディスク記録再生装置を提供することができる。
【００５９】
本発明によれば、制御手段は、検出手段による検出結果および使用者によって操作入力手段に入力される情報に基づいて、駆動手段を第１方向および第２方向へ回転するように制御することができる。したがってディスクの装着完了および使用者による再生指示または記録指示に基づいて駆動手段の回転方向を制御することができる。
【００６０】
本発明によれば、制御手段は、検出手段による検出結果に基づいて、駆動手段の回転を開始することができる。また伝達手段が伝達可能状態となることによって、駆動手段の第２方向への回転力を搬送手段に伝達することができる。これによって搬送手段を排出位置から装入位置に向かう装入方向へ変位させることができ、ディスクを装入位置に搬送することができる。したがって簡単な構成で、検出手段がディスクの装着完了を検出する検出結果に基づいて、駆動手段および伝達手段を制御し、ディスクを装入方向へ取り込むことができる。
【００６１】
本発明によれば、制御手段は、検出手段によるディスクの装入完了の結果に基づいて、記録指示情報が入力されている場合は、駆動手段の第２方向への回転を継続し、再生指示情報が入力されている場合は、駆動手段の第２方向への回転を停止することができる。これによって駆動手段の円滑な動作継続性を保つことができ、または駆動手段の動作停止をすることができる。また駆動手段の第２方向への回転を継続することによって、駆動手段の回転力を動作部に伝達することができるので、動作部を退避位置と動作位置とにわたって変位させ、ディスクを記録可能状態または再生可能状態にすることができる。
したがって簡単な構成で、ディスクの位置を検出して、必要に応じて駆動手段の回転の継続または停止を行うことができる。
【００６２】
本発明によれば、搬送手段の移動によって検出手段のスイッチング態様が切換えられる。したがって搬送手段が、検出手段と係合しているか否かで、搬送手段の位置、具体的には、ディスクが回転手段に装着される位置またはディスクが着脱操作可能な位置にあるか否かを検出することができる。したがって簡単な構成で、ディスクの位置を検出することができ、その検出結果に基づいて、制御手段が、タイミング良く駆動手段の回転を継続または停止するように制御するので、ディスクの排出または装入を円滑に移行させることができる。
【００６３】
本発明によれば、制御手段は、伝達状態保持手段の位置および駆動手段の回転方向のうち、少なくとも駆動手段の回転方向を制御することによって、伝達手段の伝達状態を切換えることができる。したがって簡単な構成で、伝達手段の伝達状態を切換え、駆動手段の駆動力を搬送手段および動作部に伝達するまたは伝達停止することができる。
【００６４】
本発明によれば、制御手段は、駆動手段の第１方向への回転力のみによって、アイドラギヤを非噛合方向へ変位させ、非噛合位置に配置することができる。したがって簡単な構成で駆動手段の第１方向への回転力を搬送手段および動作部に伝達しない状態にすることができる。
【００６５】
本発明によれば、駆動手段の第２方向への回転力のみでアイドラギヤを噛合位置に配置させることができ、またアイドラギヤを噛合位置に配置する状態で、伝達状態保持手段を状態保持位置に配置することによって、アイドラギヤを非噛合位置へ変位させることなく駆動手段の第１方向への回転力を、搬送手段および動作部に伝達することができ、動作部を動作位置と退避位置に変位させることができる。したがって簡単な構成で、駆動手段の第１方向および第２方向への回転力を、搬送手段および動作部に伝達することができ、ディスクの搬送および動作部の変位の動作をすることができる。
【００６６】
本発明によれば、アイドラギヤが非噛合位置に配置されるとき、駆動手段の回転力を搬送手段および動作部に伝達することなくディスクを回転させて再生または記録することができ、アイドラギヤが噛合位置に配置されるとき、駆動手段の回転力が、アイドラギヤに伝達され、さらにアイドラギヤの回転が作動ギヤに伝達されることによって、搬送手段および動作部に伝達され、ディスクを搬送することができる。したがってアイドラギヤを非噛合位置または噛合位置に配置することによって、ディスクに対して情報を記録または再生することができ、もしくはディスクを搬送することができるので、簡単な構成でディスクの搬送およびディスクの記録再生の動作をすることができる。
【００６７】
本発明によれば、アイドラギヤが噛合位置に配置される状態で、搬送手段の排出方向および装入方向への変位を駆動手段の回転方向で変位させることができるので、簡単な構成で搬送手段の変位方向を切換えることができ、ディスクの自動搬送が可能となる。
【００６８】
本発明によれば、アイドラギヤの噛合位置を選択することのみによって、駆動手段の第１および第２方向への回転で、ディスクの搬送および動作部の変位によるディスクの記録可能状態および再生可能状態への変位の一連の動作を切換えることができる。したがって簡単な構成でディスクの搬送、動作部の変位およびディスクの記録再生の動作をすることができ、ディスク記録再生装置を薄形化することができる。
【００６９】
さらにディスク搬送動作と連動して記録再生手段に設けられる動作部を、動作位置と離反位置とにわたって変位することができる。換言すると、動作部を動作位置に変位するとディスクに記録が可能となり、また動作部を離反位置に変位すると、ディスクを再生およびディスクの搬送が可能となる。これによればディスク記録および再生のためのディスク回転に用いる駆動手段を、ディスクが回転手段に装着させる位置と、ディスクが着脱操作可能な位置とにわたって、ディスクを搬送することに用いることができる、駆動手段の製造コストの低減およびディスク記録再生装置の薄形化を実現することができる。
【発明を実施するための最良の形態】
【００７０】
図１は、本発明の実施の一形態であるディスク記録再生装置の中心を成す部分を示す平面図である。図２は、図１に示されるディスク記録再生装置の側面図である。本発明のディスク記録再生装置は、シャーシ１と、駆動手段を構成する駆動部４０と、回転手段を構成するターンテーブル３と、伝達手段を構成する連結部４１および駆動伝達部４２と、搬送手段を構成するディスク案内部４３と、検出手段を構成する検出部４４と、制御手段を構成するモータ制御部６０と、記録再生手段に設けられる動作部を構成する光ピックアップ２６および記録部４５と、伝達状態保持手段を構成する光ピックアップ検出部４６と、操作入力手段７０とを有する。記録再生手段に設けられる記録部４５は、記録用ヘッド３１を有し、記録用ヘッド３１は、ディスクへ磁界を供給する働きを有する。また光ピックアップ２６は、ディスクにレーザースポットを供給する働きを有する。ディスク記録再生装置は、記録用ヘッド３１および光ピックアップ２６の働きによって、ディスクカートリッジ５０に情報を書込み、またディスクカートリッジ５０に書きこまれる情報を読込む。
【００７１】
シャーシ１は、ディスク記録再生装置を支える胴部であり、このシャーシ１に、駆動部４０、ターンテーブル３、連結部４１、駆動伝達部４２、ディスク案内部４３、検出部４４、モータ制御部６０、光ピックアップ２６、記録部４５、光ピックアップ検出部４６と、操作入力手段７０などが設けられている。
【００７２】
図３は、図１のｅ−ｅの破線上で切断した場合の断面図である。駆動部４０は、スピンドルモータ２、取付け板２ａ、モータ回転軸２ｂ、およびモータギヤ４を有しており、ディスク回転およびディスクカートリッジ５０の引込および排出の搬送動作ならびに記録用ヘッド３１の昇降動作の駆動源となっている。スピンドルモータ２は、取付け板２ａを介してビス、換言すると、ねじなどによって、シャーシ１に取付けられている。スピンドルモータ２は、回転駆動源であり、スピンドルモータ２の上部に突出したモータ回転軸２ｂを回転させる。モータ回転軸２ｂは、モータ回転軸２ｂに固着される後述のターンテーブル３、モータギヤ４、またはモータアーム５を回転させる。モータギヤ４は、モータ回転軸２ｂのスピンドルモータ２側の根元部分に固着されており、スピンドルモータ２の回転駆動力を、ディスクカートリッジ５０の搬送および記録用ヘッド３１の昇降に利用するためのギヤである。
【００７３】
ターンテーブル３は、モータ回転軸２ｂの先端部に配されており、ターンテーブル３にディスクを載置してディスクを回転させる。またターンテーブル３によって、ディスクを回転させることによって、記録用ヘッド３１および光ピックアップ２６を用いてディスクに対して情報の読込みまたは書込みをすることができる。
【００７４】
連結部４１は、モータアーム５、圧縮スプリング６、ワッシャー７、支持軸５ａ、アイドラアーム８、アーム規制軸８ａ、アイドラギヤ９およびワッシャー１０を有し、モータギヤ４の回転を、ディスクカートリッジ５０の搬送をするディスク案内部４３および記録用ヘッド３１を昇降する記録部４５に伝達する。
【００７５】
モータアーム５は、モータギヤ４とターンテーブル３との間で、モータ回転軸２ｂに接続されており、圧縮状態で設置された圧縮スプリング６とターンテーブル３との間において、モータ回転軸２ｂに挿入されるワッシャー７で発生する付勢力によって、モータ回転軸２ｂの回転方向と同一方向へ回転するように構成されている。さらにモータアーム５は、モータ回転軸２ｂの接続部分とは反対の端部で、アイドラアーム８とともに支持軸５ａに接続され、支持軸５ａによって回動可能に構成されている。
【００７６】
アイドラアーム８は、モータアーム５の接続部分とは反対の端部において、アイドラギヤ９がアイドラアーム８に固着されるアーム規制軸８ａにワッシャー１０で固定されている。アイドラアーム８を設けることによって、アイドラギヤ９をモータギヤ４および中間ギヤＡ１３の両方に噛合する噛合位置およびモータギヤ４および中間ギヤＡ１３の両方に噛合しない非噛合位置に変位させることができる。アイドラギヤ９は、アーム規制軸８ａを中心に回転可能に構成されている。つまり、アイドラギヤ９は、モータアーム５およびアイドラアーム８を介して、モータ回転軸２ｂの回転にともなって移動する。このとき、アーム規制軸８ａの上端部は、シャーシ１に設けられるガイド孔１ａの中に位置しているので、アイドラギヤ９の移動範囲が規制され、モータアーム５およびアイドラアーム８の回動範囲も一定範囲内に規制されている。
【００７７】
図８は、ディスク記録再生装置の記録および再生時における、モータギヤ４、アイドラギヤ９、中間ギヤＡ１３、および中間ギヤＢ１４の噛合状態を示す平面図である。前記ガイド孔１ａは、図１に示されるように斜め方向へ、具体的には、モータギヤ４および中間ギヤＡ１３のそれぞれのピッチ円径が、略同一の大きさである場合において、支持軸１ｂの軸線およびモータ回転軸２ｂの軸線を通る線に対して、略垂直方向に延びて形成される。アーム規制軸８ａは、ガイド孔１ａに沿って変位する。具体的には、アーム規制軸８ａは、噛合方向である矢符Ｑ方向へ変位し、ガイド孔１ａの一端部である装置手前側端部と、噛合解除方向である矢符Ｐ方向へ変位し、ガイド孔１ａの他端部である装置奥側端部とにわたって変位する。したがって図８に示されるガイド孔１ａの位置、換言すると、ガイド孔１ａの装置奥側端部に、アーム規制軸８ａが当接して位置規制されると、アイドラギヤ９が、モータギヤ４および後述の中間ギヤＡ１３から離間し、噛み合わなくなる非噛合位置に変位される。換言すると、スピンドルモータ２の回転力がディスク案内部４３および記録部４５に伝達されない非伝達状態に変位される。また図１に示されるガイド孔１ａの位置、換言すると、ガイド孔１ａの装置手前側端部に、アーム規制軸８ａが当接して位置規制されると、アイドラギヤ９が、モータギヤ４および後述の中間ギヤＡ１３と噛み合う噛合位置に変位される。換言すると、スピンドルモータ２の回転力がディスク案内部４３および記録部４５に伝達される伝達可能状態に変位される。
【００７８】
アイドラギヤ９の位置は、モータギヤ４の回転方向によって位置決めされる。つまり、スピンドルモータ２が、図８に示される矢符ｆ方向、換言すると、時計回りに、すなわちディスクの記録再生回転方向へ回転する場合、モータアーム５も時計回りに回転し、これにともなってアイドラアーム８は装置奥側、換言すると、ディスクが着脱操作可能な位置からディスクがターンテーブル３に装着される位置に向かう装入方向である矢符Ｂ方向へ移動する。またアイドラギヤ９は、噛合解除方向である矢符Ｐ方向へ変位する。そしてアーム規制軸８ａがガイド孔１ａの装置奥側端部に達すると、アイドラギヤ９は、モータギヤ４と中間ギヤＡ１３とから離れる非噛合位置に変位されるので、モータギヤ４の回転は中間ギヤＡ１３に伝達されず、中間ギヤＡ１３は回転しない。
【００７９】
一方、図１に示すように、スピンドルモータ２が矢符ｇ方向へ回転する場合、モータアーム５も同方向へ回転し、これにともなってアイドラアーム８は装置手前側、換言すると、ディスクがターンテーブル３に装着される位置からディスクが着脱操作可能な位置に向かう排出方向である矢符Ａ方向へ移動する。またアイドラギヤ９は、非噛合解除方向である矢符Ｑ方向へ変位する。そしてアーム規制軸８ａがガイド孔１ａの装置手前側端部に達すると、アイドラギヤ９は、モータギヤ４および中間ギヤＡ１３の両方と噛合する噛合位置に変位されるので、モータギヤ４の回転がアイドラギヤ９を介して中間ギヤＡ１３に伝達される。
【００８０】
駆動伝達部４２は、図３に示すように、中間ギヤＡ１３、ワッシャー１２、支持軸１ｂ、中間ギヤＢ１４、支持軸１ｃ、およびカムギヤ１６を有する。スピンドルモータ２の回転力は、連結部４１によって中間ギヤＡ１３および中間ギヤＢ１４に伝達される場合に、ギヤの噛合によって、その回転力をカムギヤ１６に伝達する。
【００８１】
中間ギヤＡ１３は、大歯車部１３ａと小歯車部１３ｂとを有し、支持軸１ｂを中心として回転可能に支持され、ワッシャー１２によって抜止めされている。また中間ギヤＢ１４は、大歯車部１４ａと小歯車部１４ｂとを有し、シャーシ１の支持軸１ｃを中心として回転可能に支持されており、その大歯車部１４ａは中間ギヤＡ１３の小歯車部１３ｂと噛合するように構成されている。さらにカムギヤ１６は、回転可能な状態で、カムギヤ１６の下面中心より下方に延びる円筒部１６ａがシャーシの孔１ｄに挿入されており、カムギヤ１６のギヤ部１６ｂは中間ギヤＢ１４の小歯車部１４ｂと噛合するように構成されている。したがってモータギヤ４が反時計回りに回転した場合に、前述したように、連結部４１によって中間ギヤＡ１３の大歯車部１３ａがアイドラギヤ９と噛合することによって、スピンドルモータ２の回転力は、アイドラギヤ９を介して、中間ギヤＡ１３に伝達され、また中間ギヤＢ１４に伝達され、さらにカムギヤ１６に伝達される。
【００８２】
またカムギヤ１６上面の外周部付近には、上方に延びる円筒形状のボス１６ｃが、カムギヤ１６と一体的に形成されている。ボス１６ｃは、カムギヤ１６の上方に設置されるカムプレート１７の溝部１７ａに嵌合している。カムギヤ１６下面の外周部付近には、下方に延びる円筒形状のボス１６ｄが、カムギヤ１６と一体的に形成されている。ボス１６ｄは、カムギヤ１６の下方に設置される後述するカムレバー３３と当接可能に配されている。なお、図１のｅ−ｅ断面図を示す図３において、ボス１６ｄは本来図示できないが、カムギヤ１６の下面に形成されていることを概念的に示すために、図３において紙面まで回転移動した位置で図示している。
【００８３】
図４は、図１に示す部品の上部空間に構成される部品を示す平面図である。図５は、図４に示されるディスク記録再生装置の側面図である。図６は、図４の部品の一部を抜出して示す平面図であり、図７は図５の一部を抜出して示す側面図である。ディスク案内部４３は、従動部材であるカムプレート１７、ＳＷプレート１８と、搬送アームとしてのＬＤアーム２２およびスライダー２０、カートリッジホルダ１９およびホルダーアーム２１とを有する。カムプレート１７は、シャーシ１上面を前後方向、換言すると、排出方向および装入方向へ移動可能に取付けられており、前述したカムギヤ１６の回転によってボス１６ｃが回転移動し、これにともなってカムプレート１７の溝部１７ａが押圧されて、カムプレート１７が排出方向または装入方向へ移動する。
【００８４】
またカムプレート１７の側面には、図５に示すように、主として前後方向へ延びるガイド孔１７ｂおよび１７ｃを有しており、それぞれ後述するカートリッジホルダ１９のバーリング部１９ｃおよびホルダーアーム２１のバーリング部２１ｃが嵌合している。ガイド孔１７ｂ，１７ｃは、排出方向および装入方向へ平行に形成されているが、装入方向の端部付近が、排出方向および装入方向対して垂直な方向、かつディスクの回転軸線に平行な方向で、記録用ヘッドが、退避位置から動作位置に向かう近接方向である矢符Ｃ方向へ向かって斜めに延びている。
【００８５】
ＳＷプレート１８は、カムプレート１７に前後方向へ移動可能に取付けられており、ＳＷプレートスプリング２３によってカムプレート１７と連結され、装置奥部方向、換言すると、装入方向へ付勢されている。またＳＷプレート１８は、カムプレート１７と一体的に移動する。またＳＷプレート１８は、後述のＬＤアーム２２の先端部２２ａと摺接しており、カムプレート１７の前後の移動動作をＬＤアーム２２に伝達している。
【００８６】
ＬＤアーム２２は、カートリッジホルダ１９上面に突設する支点軸１９ｅを中心として回動可能に取付けられており、その先端部２２ａは、ＳＷプレート１８の口型形状部１８ａの中に摺動可能な状態で位置している。したがってＬＤアーム２２はＳＷプレート１８の前後移動にしたがって揺動する。また支点軸１９ｅを挟んで先端部２２ａと反対の端部にある二股形状部２２ｂは、後述のスライダー２０のスライダーシャフト２０ａを挟持しつつこれと摺接している。したがってＬＤアーム２２の揺動はスライダー２０に伝達される。
【００８７】
スライダー２０は、カートリッジホルダ１９内に位置しており、ディスクカートリッジ５０と係合して、このディスクカートリッジ５０を装置内部、換言すると、装入方向へ引込み、または装置内部から排出方向へ排出するものである。スライダー２０は、その上部にスライダーシャフト２０ａ，２０ｂを有しており、スライダー２０がカートリッジホルダ上面のガイド孔１９ｄに沿って移動することによって、ディスクカートリッジ５０を円滑に前後方向である排出方向または装入方向へ移動することができる。前記のＬＤアーム２２の揺動は、スライドシャフト２０ａを排出方向または装入方向へ移動させ、それにともなって、ディスクカートリッジ５０を排出方向または装入方向へ移動させて、引込および排出動作を行わせる。
【００８８】
カートリッジホルダ１９は、ディスクカートリッジ５０を収納するものであり、そのアーム部１９ａはホルダーアーム２１のフック部２１ｄで持上げ支持されている。カートリッジホルダ１９側面のバーリング部１９ｃは、カムプレート１７側面のガイド孔１７ｃに嵌合しており、ガイド孔１７ｃによって、高さ方向の位置を規制され保持されている。したがってディスクに対して情報の読込みまたは書込みを行う場合、カムプレート１７を排出方向の最端部に移動させ、バーリング部１９ｃが斜めスライド部分に位置すると、カートリッジホルダ１９がガイド孔１７ｃに案内されて、近接方向へ移動する。
【００８９】
またディスクを交換する、還元するとディスクを排出する場合は、カムプレート１７を装入方向へ移動させると、逆にカートリッジホルダ１９が、排出方向および装入方向対して垂直な方向、かつディスクの回転軸線に平行な方向で、記録用ヘッドが、ターンテーブル３によって回転されるディスクに対して近接して情報を記録または再生する動作位置から、動作位置から離反する退避位置に向かう離反方向である矢符Ｄ方向へ移動する。このように、ディスク交換時にカートリッジホルダ１９が離反方向へ移動することによって、ディスクの出入れをスムーズに行うことができる。
【００９０】
ホルダーアーム２１は、前記カートリッジホルダ１９を支えるためのものであり、シャーシ１前部に設けられ、離反方向である上方へ伸びる左右２箇所の支持部１ｆおよび１ｇに、ホルダーアーム２１前部で左右２箇所の支点孔２１ａおよび２１ｂが嵌合されて回動可能に取付けられているとともに、左側後方に位置するバーリング部２１ｃをカムプレート１７側面のガイド孔１７ｂ内に位置させており、前記ガイド孔１７ｂによって高さ方向の位置が規制されている。
【００９１】
ガイド孔１７ｂはガイド孔１７ｃと同様の形状であり、ガイド孔１７ｃに案内されるカートリッジホルダ１９と同様に、ホルダーアーム２１もガイド孔１７ｂに案内されて、ディスクの読込みまたは書込みを行う場合に近接方向へ回動し、ディスクを交換する場合に離反方向へ回動する。
【００９２】
また検出部４４は、図２に示すように、ＳＷプレート１８、ローディング検出スイッチ２４、装入位置検出スイッチ２５およびＬＤアーム２２とを有し、ディスクカートリッジ５０がどのような状態にあるかを検出している。ディスクカートリッジ５０が完全に装入された状態では、ＳＷプレート１８が排出方向の最端部に位置して、ＳＷプレート１８の一端部１８ｂがシャーシ１に配置される装入位置検出スイッチ２５を押す。一方、ディスクカートリッジ５０が排出されると、ＳＷプレート１８が装入方向の最端部に位置して、一端部１８ｂがシャーシ１に配置されるローディング検出スイッチ２４を押す。
【００９３】
装入位置検出スイッチ２５が押された状態では、次の動作が再生か記録かの動作モードによって、スピンドルモータ２の駆動を選択することができる。またディスクの排出が完了してローディング検出スイッチ２４が押された状態では、スピンドルモータ２の矢符ｇ方向への回転を停止することができる。
【００９４】
記録再生手段は、光ピックアップと記録部４５とを有する。記録部４５は、記録用ヘッド３１、ヘッドレバー３２、カムレバー３３、およびカムレバー検出スイッチ３４を有し、カムギヤ１６の回転を記録用ヘッド３１の昇降動作に変換する働きを有する。まず、光ピックアップ２６は、図示しないスライド駆動装置によって、内周方向、換言すると、ターンテーブル３に近づく方向へ、また外周方向、換言すると、ターンテーブル３から離れる方向へと移動可能となっている。
【００９５】
図９は、ディスク装入時の主要構成部品を示す平面図であり、図１０はその側面図である。図１１は、図９の記録用ヘッド３１とヘッドレバー３２を示す側面図である。図１２は、記録状態へ移行時の主要構成部品を示す平面図であり、図１３はその側面図である。図１４は、図１２の記録用ヘッド３１とヘッドレバー３２を示す側面図である。
【００９６】
記録用ヘッド３１は、図１１に示すように、記録用ヘッド３１の本体３１ａが光ピックアップ２６にビスなどで固定されている。ヘッドレバー３２は、一端の支点孔３２ａと他端の支点孔３２ｄとでシャーシ１に回動可能に取付けられており、ばね、換言すると、スプリング８１によって支点孔３２ａを中心に時計回りに付勢されている。ヘッドレバー３２の中央部の壁面３２ｂは、記録用ヘッド３１のアーム部の一端３１ｂと摺接可能に位置している。
【００９７】
カムレバー３３は、支点孔３３ａを中心として回動可能にシャーシ１に取付けられており、その一端はカムギヤ１６のボス１６ｄと当接可能に位置していて、他端のボス３３ｂはヘッドレバー３２の下端部３２ｃと当接可能に位置している。したがって図１１において、ヘッドレバー３２はスプリング８１の付勢力で時計回りに付勢されているので、壁面３２ｂは、記録用ヘッド３１のアーム部の一端３１ｂを押圧し、記録用ヘッドコア部３１ｃを上方向、換言すると、離反方向へ押し上げる状態となっている。このとき、ディスクカートリッジ５０の搬送中および装入完了状態では、ディスクカートリッジ５０と記録用ヘッド３１は当接することなく、充分な隙間が設けられている。
【００９８】
図９および図１２に示すディスク記録再生装置において、カムギヤ１６が矢符ｇ方向へ、換言すると、反時計回りに回転して、ボス１６ｄがカムレバー３３を押圧すると、カムレバー３３は、ボス３３ｂでヘッドレバー３２の下端部３２ｃを押圧して、図１１に示す状態から図１４に示す状態に記録用ヘッド３１とヘッドレバー３２とが変位される。このとき、ヘッドレバー３２は、スプリング８１の付勢力に抗して反時計回りに回動される。それにともなって、記録用ヘッド３１のアーム部の一端３１ｂとヘッドレバー３２の壁面３２ｂが摺動しながら、記録用ヘッドコア部３１ｃはディスクに摺接する位置まで下降し、やがて一端３１ｂと壁面３２ｂは離間する、換言すると、記録可能状態となる。この状態のとき、カムレバー３３がカムレバー検出スイッチ３４を押圧し、モータ制御部６０は、記録可能状態へ移行したことを判断して、スピンドルモータ２の矢符ｇ方向への回転を停止する。
【００９９】
光ピックアップ検出部４６は、図１に示すように、ピックアップレバー３５、ピックアップ検出スイッチ３６およびピックアップ内周検出スイッチ３７とを有する。まず、ピックアップレバー３５は、長孔３５ｂおよび３５ｃを有しており、長孔３５ｂおよび３５ｃに沿って左右方向、換言すると矢符Ｘ方向および矢符Ｙ方向へ変位自在に設けられており、プリング８０によって右方向、換言すると矢符Ｙ方向へ付勢されている。ここで、矢符Ｘ方向および矢符Ｙ方向は、矢符Ａ方向および矢符Ｂ方向に対して垂直な方向であり、また矢符Ｃ方向および矢符Ｄ方向に対して垂直な方向である。またピックアップレバー３５のフック部３５ａとモータアーム５の先端部５ｂと当接することによって、スピンドルモータ２からディスク案内部４３に伝達される回転力に基づく力に抗して、アイドラギヤを伝達可能状態に保持する状態保持位置からアイドラギヤの状態の保持を解除する保持解除位置に向かう保持解除方向を矢符Ｙ方向とし、保持解除位置から状態保持位置に向かう状態保持方向を矢符Ｘ方向とする。ピックアップレバー３５の保持解除方向の右端部は光ピックアップ２６と当接可能に位置するように、また状態保持方向の左端部はモータアーム５と当接可能に位置するように構成されている。
【０１００】
ピックアップ検出スイッチ３６は、光ピックアップ２６前部の外形部２６ｂと摺接可能に配置され、図１に示すように、モータアーム５とピックアップレバー３５とが離間している状態を検出できるように配置されている。この状態のとき、アイドラギヤ９はモータギヤ４と中間ギヤＡ１３とに噛合する噛合位置に変位することができる。またスピンドルモータ２の矢符ｆ方向への回転にしたがってモータアーム５は時計回りに回動可能となっている。ピックアップ内周検出スイッチ３７は、光ピックアップ２６の後部側面より突設する突出部２６ａと対向するように位置しており、光ピックアップ２６が最内周、換言すると、ディスクカートリッジ５０の中心に近接する位置を検出できるように配置されている。
【０１０１】
図１５は、記録状態から再生状態へ移行開始時の主要構成部品を示す平面図であり、図１６は、記録状態から再生状態へ移行完了時の主要構成部品を示す平面図である。図１５および図１６に示すように、光ピックアップ２６が最内周に位置する場合には、ピックアップレバー３５は、スプリング８０の付勢力に抗して、光ピックアップ２６に押圧されて左方向である状態保持方向へ移動している状態となり、このとき、モータアーム５のＬ字状の先端部５ｂがピックアップレバー３５のフック部３５ａと対向する位置となる。この状態で、モータアーム５の時計回りの回動は、モータアーム５の先端部５ｂとピックアップレバー３５のフック部３５ａとが当接することによって規制され、連結部４１および駆動伝達部４２を介してスピンドルモータ２の矢符ｆ方向への回転をカムギヤ１６に伝達することができる。このようにして、光ピックアップ２６の位置によって、モータアーム５の時計回りの回動を規制して、スピンドルモータ２の矢符ｆ方向への回転をカムギヤ１６に伝達可能にする。
【０１０２】
図１７は、アイドラギヤ９が、モータギヤ４および中間ギヤＡ１３に噛合する噛合位置に配されている状態を示す平面図である。
【０１０３】
ピックアップレバー３５は、長孔３５ｂおよび３５ｃを有しており、長孔３５ｂおよび３５ｃに沿って左右方向、換言すると状態保持方向および保持解除方向へ変位自在に設けられており、プリング８０によって右方向、換言すると保持解除方向へ付勢されている。
【０１０４】
ガイド孔１ａは、斜め方向へ、具体的には、モータギヤ４および中間ギヤＡ１３のそれぞれのピッチ円径が、略同一の大きさである場合において、支持軸１ｂの軸線およびモータ回転軸２ｂの軸線を通る線Ｚに対して、略垂直方向に延びて形成される。アーム規制軸８ａは、ガイド孔１ａを装置奥側端部と装置手前側端部とにわたって変位する。換言すると、アーム規制軸８ａは、噛合方向である矢符Ｑ方向へ、および噛合解除方向である矢符Ｐ方向へ変位する。アーム規制軸８ａが、噛合方向へ変位し、装置手前側端部に達すると、モータ回転軸２ｂの軸線および支持軸１ｂの軸線を通る線Ｚ上にアーム規制軸８ａが配置される。またアーム規制軸８ａが、噛合解除方向へ変位し、装置奥側端部に達すると、アイドラギヤが、モータギヤ４および中間ギヤＡ１３と噛み合わない。このようにガイド孔１ａを形成することによって、ガイド孔１ａの大きさを必要最低限の大きさにすることができ、ディスク記録再生装置の小形化を実現することができる。
【０１０５】
またモータアーム５の先端部５ａにおいて、ピックアップレバー３５のフック部３５ａと係止する係止面５ｃは、モータアーム５の先端部５ａが、ピックアップレバー３５のフック部３５ａと当接し、図１７に示すように、係止される位置において、排出方向および装入方向に対して垂直な平面となるように形成される。またピックアップレバー３５のフック部３５ａの係止面３５ｄも、排出方向および装入方向に対して垂直な平面、換言すると、保持解除方向および状態保持方向と平行な平面となるように形成されている。したがってモータアーム５の係止面５ｃとピックアップレバー３５の係止面３５ｄとが、当接し、モータアーム５が、装入方向に力を受ける場合、さらに具体的にはアイドラギヤが、噛合解除方向へ力を受ける場合に、モータアーム５の先端部５ａは、ピックアップレバー３５のフック部３５ａによって、係止される方向へ案内されるので、モータアーム５の先端部５ａとピックアップレバー３５のフック部３５ａとは、外れにくく、係止される状態を維持することができる。
【０１０６】
またモータアーム５の先端部５ａが、ピックアップレバー３５のフック部３５ａと当接し、図１７に示すように、係止される位置において、モータアーム５の係止面５ｃとピックアップレバー３５の係止面３５ｄとは、共にピックアップレバー３５の移動方向である保持解除方向および状態保持方向に対して平行となるように形成されているので、ピックアップレバー３５を保持解除方向および状態保持方向へ移動させることによって、容易に係脱することができる。
【０１０７】
次に、前記の本実施例に係るディスク記録再生装置の動作について説明する。まず、本発明のディスク記録再生装置において、ディスク引込および装入を行う場合を説明する。このとき、ディスクカートリッジ５０はディスク記録再生装置外に出ており、ＳＷプレート１８が装入方向の最端部に位置していて、ローディング検出スイッチ２４を押している状態となっている。
【０１０８】
使用者が、本発明のディスク記録再生装置に、ディスクカートリッジ５０を着脱操作可能な位置から装入方向へ挿入すると、ディスクカートリッジ５０と係合したスライダー２０が、カートリッジホルダ１９内を装置奥部方向、換言すると、装入方向へ移動し、スライダーシャフト２０ａが、ＬＤアームの二股形状部２２ｂを押圧し、ＬＤアーム２２は反時計周りに回動する。このとき、ＳＷプレート１８の口型形状部１８ａの中に位置するＬＤアームの先端部２２ａは、ＳＷプレート１８を押圧して、ＳＷプレート１８が装置前部方向、換言すると、排出方向に僅かに移動する。
【０１０９】
この移動によって、それまでローディング検出スイッチ２４を押していたＳＷプレート１８下部の一端部１８ｂが、前記ローディング検出スイッチ２４から離れることによって、モータ制御部６０である回路システムが、ディスク引込開始と判断し、スピンドルモータ２を矢符ｇ方向へ回転させると同時に、ピックアップ検出スイッチ３６が光ピックアップ２６を検出するまで、光ピックアップ２６を移動させる。
【０１１０】
スピンドルモータ２が矢符ｇ方向へ回転すると、モータアーム５は圧縮スプリング６とワッシャー７によって発生する摩擦力によって、モータ回転軸２ｂと同方向へ回動する。これにともなって、アイドラアーム８のアーム規制軸８ａは、ガイド孔１ａに沿って回動しながらガイド孔１ａの一端部である装置手前側端部に当接し、その回動が規制され図１に示す状態になる。
【０１１１】
したがってアイドラギヤ９は、モータギヤ４と中間ギヤＡ１３の両方と噛合状態となるので、反時計回りのモータギヤ４の回転は、アイドラギヤ９を介して中間ギヤＡ１３に伝達され、中間ギヤＢ１４を経てカムギヤ１６に伝達される。このとき、カムギヤ１６は矢符ｇ方向へ回転する。そして、カムギヤ１６の上面にあるボス部１６ｃが、カムギヤ１６の回転にともなってカムプレート１７の溝孔部１７ａを排出方向へ押圧するので、図１の状態から図９の状態へと移動する。
【０１１２】
カムプレート１７の移動にともなって、ＳＷプレート１８も排出方向へ移動することによって、スイッチ従動部材の口型形状部１８ａがＬＤアームの先端部２２ａを排出方向へ押して、ＬＤアーム２２を反時計回りに回動させる。ＬＤアーム２２の二股形状部２２ｂは、スライダーシャフト２０ａを装入方向へ押し、スライダー２０およびディスクカートリッジ５０を装置奥部方向、換言すると、装入方向へ移動する。
【０１１３】
装置奥部方向への移動が完了した後も、カムプレート１７は排出方向への移動を続け、カムプレート１７側面のガイド孔１７ｂの中に位置するホルダーアーム２１のバーリング部２１ｃおよびカムプレート側面の別のガイド孔１７ｃの中に位置するカートリッジホルダ１９側面のバーリング部１９ｃは、それぞれガイド孔１７ｂ，１７ｃの斜面に沿って、下方向、換言すると、近接方向へ移動する。
【０１１４】
これによって、カートリッジホルダ１９も下方向へ移動し、装置内部に挿入されたディスクカートリッジ５０を装入位置まで降下させる。その後、カムプレート１７はさらに排出方向へ移動し、装入位置検出スイッチ２５によって、カムプレート１７が装入位置に到達したことが検出されると、モータ制御部６０が装着完了と判断し、次の指示される動作に基づいて、スピンドルモータ２の回転を制御する。
【０１１５】
またヘッドレバー３２の壁面３２ｂは、スプリング８１の付勢力によって、記録用ヘッド３１の一端３１ｂを押圧している状態である。したがって図１１に示すように、記録用ヘッドコア部３１ｃは上方へ、換言すると、離反方向へ押し上げられるので、ディスクカートリッジ５０の搬送に支障はない。
【０１１６】
次に、ディスクカートリッジ５０の再生時の動作を説明する。ディスクカートリッジ５０が回転手段であるターンテーブル３に装着されている装着完了時では、ディスク記録再生装置は、ディスクが装入されているが記録再生は行っていない待機状態となっており、何の動作も起こさない。ディスク記録再生装置に設けられる操作入力手段７０に再生指示を表す再生指示情報が入力されると、スピンドルモータ２が矢符ｆ方向へ回転する。これによって、モータ回転軸２ｂに備えられたターンテーブル３が回転し、ディスクを回転させて再生を行う。
【０１１７】
このとき、一端がスピンドルモータ２のモータ回転軸２ｂに接続したモータアーム５は、モータ回転軸２ｂとの接続部分にて、圧縮スプリング６とワッシャー７によって、スピンドルモータ２の回転で発生する摩擦力が与えられ、モータ回転軸２ｂと同方向へ回動する。これにともなって、モータアーム５の他端に接続されるアイドラアーム８も、モータ回転軸２ｂと同方向へ回転する。
【０１１８】
アイドラアーム８は、図８に示すように、モータアーム５と接続している部分とは反対の端にアーム規制軸８ａを有しており、アーム規制軸８ａは、ガイド孔１ａに沿って噛合解除方向に変位し、ガイド孔１ａの他端部である装置奥側端部に当接される。したがってアイドラギヤ９は、モータギヤ４および中間ギヤＡ１３と離間する非噛合状態にあるので、スピンドルモータ２が矢符ｆ方向へ回転しても、アイドラギヤ９および中間ギヤＡ１３は回転することはなく、中間ギヤＡ１３以降のギヤ列にも回転は伝わらない。また前述したディスクカートリッジ５０の搬送時と同様に、記録用ヘッド３１の記録用ヘッドコア部３１ｃは上方向、換言すると、離反方向へ押し上げられており、ディスクからは充分に離間しているので、記録されることはない。
【０１１９】
次に、ディスクカートリッジ５０の記録時の動作を説明する。ディスクがターンテーブル３に装着されている状態で、ディスク記録再生装置に設けられる操作入力手段に記録指示を表す記録指示情報が入力されると、スピンドルモータ２が矢符ｇ方向へ回転する。アイドラギヤ９は、モータギヤ４と中間ギヤＡ１３の両方と噛合状態となっているので、モータギヤ４の反時計回りの回転は、アイドラギヤ９を介して中間ギヤＡ１３に伝達され、中間ギヤＢ１４を経てカムギヤ１６へ伝達される。
【０１２０】
このとき、カムギヤ１６は矢符ｇ方向へ回転する。そして、カムギヤ１６の上面にあるボス部１６ｃが、カムギヤ１６の回転にともなって、カムプレート１７の溝孔部１７ａの円弧部と摺接しながら、図９から図１２にかけて示すように回転するので、カムプレート１７は移動せず、ディスク装着状態、換言すると、ディスクがターンテーブル３に装着されている状態を維持する。またカムギヤ１６の下面にあるボス１６ｄも、カムギヤ１６の回転にともなってカムレバー３３を押圧し、カムレバー３３が時計回りに回動する。
【０１２１】
これによって、図１１から図１４にかけて示すように、ヘッドレバー３２を反時計回りへ回動させ、記録用ヘッド３１のコア部３１ｃはディスク面へ摺接する。このとき、カムレバー３３によってカムレバー検出スイッチ３４が押されているので、記録用ヘッド３１が記録可能状態に至っていることが検出され、モータ制御部６０である回路システムが記録可能状態と判断し、スピンドルモータ２の回転を停止する。
【０１２２】
そして、スピンドルモータ２が、矢符ｆ方向へ回転し、モータ回転軸２ｂに備えられるターンテーブル３が回転する。これによって、ディスクを回転させて記録を行う。このとき、一端がスピンドルモータ２のモータ回転軸２ｂに接続されるモータアーム５は、その接続部分にて、圧縮スプリング６とワッシャー７によって、スピンドルモータ２の回転によって発生する摩擦力が与えられ、モータ回転軸２ｂと同方向へ回動する。
【０１２３】
これにともなって、モータアーム５の他端に接続されるアイドラアーム８も、モータ回転軸２ｂと同方向へ回転する。アイドラアーム８は、図８に示すように、モータアーム５と接続している部分と反対の端部に、アーム規制軸８ａを有しており、アーム規制軸８ａは、ガイド孔１ａに沿って噛合解除方向に変位し、ガイド孔１ａの他端部である装置奥側端部に当接される。したがってアイドラギヤ９はモータギヤ４および中間ギヤＡ１３と離間する非噛合位置に変位されるので、スピンドルモータ２が矢符ｆ方向へ回転しても、アイドラギヤ９および中間ギヤＡ１３は回転することはないので、中間ギヤＡ１３以降のギヤ列にも回転は伝わらない。
【０１２４】
次に、記録状態から再生状態への動作を説明する。ディスク記録状態からディスク再生状態へ動作する場合、再生指示を表す再生指示情報に基づいて引込時と同様に、モータ制御部６０によってスピンドルモータ２を矢符ｇ方向へ回転を開始させる。スピンドルモータ２が矢符ｇ方向へ回転すると、モータアーム５は圧縮スプリング６とワッシャー７によって発生する摩擦力によって、モータ回転軸２ｂと同方向へ回動する。これにともなって、アイドラアーム８のアーム規制軸８ａは、ガイド孔１ａに沿って噛合方向に変位し、図１５に示すように、ガイド孔１ａの一端部である装置手前側端部に当接される。
【０１２５】
このとき、ピックアップ内周検出スイッチ３７が検出するまで、光ピックアップ２６を最内周位置に移動させ、ピックアップレバー３５は、スプリング８０の付勢力に抗して、光ピックアップ２６に押圧されて左方向へ移動した状態となり、このとき、モータアーム５のＬ字状の先端部５ｂがピックアップレバー３５のフック部３５ａと対向する位置となる。
【０１２６】
この状態で、スピンドルモータ２が矢符ｆ方向へ回転されるが、モータアーム５の時計回りの回動によって、モータアーム５の先端部５ｂとピックアップレバー３５のフック部３５ａとが当接することによって規制される。さらに具体的には、モータアーム５の時計回りの回動によって、モータアーム５の先端部５ａが、ピックアップレバー３５のフック部３５ａによって、係止される方向へ案内され、規制される。
【０１２７】
これによってアイドラギヤ９は、モータギヤ４と中間ギヤＡ１３の両方と噛合状態に位置されるので、時計回りに回転しているモータギヤ４の回転は、アイドラギヤ９を介して中間ギヤＡ１３に伝達される。中間ギヤＡ１３に伝達された回転は、噛合関係にある中間ギヤＢ１４を経て、カムギヤ１６へ伝達される。このとき、カムギヤ１６は矢符ｆ方向へ回転する。
【０１２８】
記録状態にあるとき、カムギヤ１６の上面にあるボス１６ｃと下面にあるボス１６ｄは、図１５に示す位置にあり、カムギヤ１６が矢符ｆ方向へ回転することによって、ボス１６ｄはカムレバー３３から離間する図１６に示す位置へと回転する。そのとき、ヘッドレバー３２へのスプリング８１の付勢力によって、ヘッドレバー３２は図１４から図１１に示す状態へ、換言すると、時計回り方向へ回動し、同時に当該スプリング８１の付勢力によって、ヘッドレバー３２の下端部３２ｃがカムレバー３３のボス３３ｂを押圧しつつ、カムレバー３３は、カムギヤ１６のボス１６ｄに追従しながら反時計回りへ回動する。
【０１２９】
このとき、ヘッドレバー３２の壁面３２ｂが、記録用ヘッド３１の一端３１ｂを当該スプリング８１の付勢力で押圧されることによって、コア部３１ｃは上方向、換言すると、離反方向へ付勢される。さらに、カムギヤ１６が矢符ｆ方向へ回転することによって、ボス１６ｃはカムプレート１７の溝孔部１７ａの円弧部と摺接しながら、図１５から図１６にかけて示すように回転するので、カムプレート１７は移動せず、ディスクの装着は維持される。
【０１３０】
そして、カムギヤ１６が矢符ｆ方向へ回転し続けることで、カムプレート１７が装入方向へ移動し始めることによって、装入位置検出スイッチ２５とＳＷプレート１８の一端部１８ｂが押圧状態から離間する状態に至ることで、回路システムが再生可能状態に至ったと判断し、そのときスピンドルモータ２の矢符ｆ方向への回転を、矢符ｇ方向へ逆転させてカムプレート１７を排出方向へ移動させ装入位置検出スイッチ２５を再度押圧するまで復帰させ図１６に示すように再生可能状態になる。
【０１３１】
以上で、記録状態からディスク装着状態、換言すると、記録再生は行っていない待機状態への動作が完了する。このとき、ディスク記録再生装置に再生指示情報が与えられている場合、光ピックアップ２６をピックアップ検出スイッチ３６で位置検出されるまで外周方向である保持解除方向へ移動させる。これによってピックアップレバー３５もスプリング８０によって保持解除方向である矢符Ｙ方向へ移動するので、モータアーム５とピックアップレバー３５とが離間される状態となり、たとえば図９に示す状態で、前記ディスクカートリッジ５０の再生時の動作説明と同様に、スピンドルモータ２が矢符ｆ方向へ回転することによって再生できる。
【０１３２】
次に、ディスク排出時の動作を説明する。ディスク装着状態にあるディスクを排出する場合、ディスク排出指示を表す情報に基づいてピックアップ内周検出スイッチ３７が検出するまで、光ピックアップ２６を内周方向である状態保持方向へ移動させることによって、モータアーム５とピックアップレバー３５とが当接する。さらにスピンドルモータ２を矢符ｆ方向へ回転を開始させることによって、アイドラギヤ９を噛合位置に保持し、スピンドルモータ２の矢符ｆ方向への回転力をカムギヤ１６に伝達する。また記録状態からディスクを排出する場合、記録状態から再生状態への動作説明と同様の動作で、記録状態からディスク装着状態への動作を完了させる。この場合、カムプレート１７が装入方向へ移動し始めることによって、装入位置検出スイッチ２５とＳＷプレート１８の一端部１８ｂが押圧状態から離間する状態に至ることで、回路システムが再生可能状態に至ったと判断したのちも、後述のようにスピンドルモータ２は、そのまま、矢符ｆ方向への回転を続行して排出が可能である。
【０１３３】
そして、ディスク装着状態にあるとき、カムプレート１７は図１６に示す位置にあり、カムギヤ１６の上面にあるボス部１６ｃが、カムギヤ１６の回転にともなって、カムプレートの溝孔部１７ａを装入方向へ押すので、カムプレート１７は装入方向へ移動する。このとき、カムプレート１７側面のガイド孔１７ｂの中に位置するホルダーアーム２１のバーリング部２１ｃおよびカムプレート１７側面の別のガイド孔１７ｃの中に位置するカートリッジホルダ側面のバーリング部１９ｃは、それぞれガイド孔１７ｂ，１７ｃの斜面に沿って上方向、換言すると、離反方向へ移動する。これによって、カートリッジホルダ１９も上方向へ移動する。
【０１３４】
このような上方向への移動が完了した後も、カムプレート１７は装入方向への移動を続ける。これにともなってＳＷプレート１８も装入方向へ移動し、口型形状部１８ａによってＬＤアーム２２の先端部２２ａが装入方向へ押されるので、ＬＤアーム２２は時計回りに回動する。この回動によって、ＬＤアーム２２の二股形状部２２ｂがスライダーシャフト２０ａを排出方向へ押し、スライダー２０およびディスクカートリッジ５０をディスク排出方向、換言すると、排出方向へ移動させる。
【０１３５】
排出が完了すると、カムプレート１７と一体となって移動するＳＷプレート１８は、その一端部１８ｂがローディングスイッチ２４を押し、これによって、回路システムが排出完了と判断し、スピンドルモータ２の回転を停止する。この状態で光ピックアップ２６をピック検出スイッチ３６が検出されるまで外周に移動させる。このとき、図１に示す状態となる。なお、前記ディスクカートリッジ５０としては、ＭＤなどが利用できる。
【０１３６】
本実施の形態によれば、連結部４１の状態を伝達可能状態と非伝達状態とに、切換えることによって、スピンドルモータ２の回転力をディスク案内部４３および記録用ヘッド３１に伝達することができ、または伝達停止することができる。またピックアップレバー３５が状態保持位置に変位され、連結部４１が伝達可能状態に保持されると、スピンドルモータ２の第１および第２方向への回転力を、ディスク案内部４３および記録用ヘッド３１に伝達することができ、また連結部４１が伝達可能状態を保持解除され、非伝達状態に切換えられると、スピンドルモータ２の第１および第２回転の回転力を、ディスク案内部４３および記録用ヘッド３１に伝達停止することができる。したがって簡単な構成で、スピンドルモータ２の回転力をディスク案内部４３および記録用ヘッド３１に伝達したり、伝達停止することができ、必要に応じて伝達経路を選択可能にする。またディスクを回転するためのスピンドルモータ２によって、ディスクの引込および装着ならびに排出を行うとともに記録用ヘッド３１を変位させるディスク記録再生装置を提供することができる。
【０１３７】
また伝達手段によって、具体的には、駆動伝達部４２および連結部４１によって、スピンドルモータ２の回転力をディスク案内部４３および記録用ヘッド３１に伝達することができ、ディスクを装入および排出することができ、また記録用ヘッド３１を変位させることができる。したがって簡単な構成で、ディスクの引込および装着ならびに排出を行うとともに記録用ヘッド３１を変位させるスピンドルモータ２を、ディスクを回転するためのスピンドルモータ２で兼用するディスク記録再生装置を提供することができる。
【０１３８】
またディスク案内部４３と記録用ヘッド３１との当接を避けつつ、スピンドルモータ２の第１および第２方向への回転力に基づいて、ディスク案内部４３によってディスクを装入方向および排出方向へ搬送させ、また記録用ヘッド３１は近接方向および退避方向へ変位することができる。したがって簡単な構成で、ディスクの引込および装着ならびに排出を行うとともに記録用ヘッド３１を変位させるスピンドルモータ２を、ディスクを回転するためのスピンドルモータ２で兼用するディスク記録再生装置を提供することができる。
【０１３９】
またモータ制御部６０である回路システムは、検出部４４による検出結果および使用者によって操作入力手段７０に入力される情報に基づいて、スピンドルモータ２を第１方向および第２方向へ回転するように制御することができる。したがってディスクの装着完了および使用者による再生指示または記録指示に基づいてスピンドルモータ２の回転方向を制御することができる。
【０１４０】
また回路システムは、検出部４４による検出結果に基づいて、スピンドルモータ２の回転を開始することができる。また連結部が伝達可能状態となることによって、スピンドルモータ２の第２方向への回転力をディスク案内部４３に伝達することができる。これによってディスク案内部４３を装入方向へ変位させることができ、ディスクを装入位置に搬送することができる。したがって簡単な構成で、検出部４４がディスクの装着完了を検出する検出結果に基づいて、スピンドルモータ２および連結部４１を制御し、ディスクを装入方向へ取り込むことができる。
【０１４１】
また回路システムは、検出部４４によるディスクの装入完了の結果に基づいて、記録指示情報が入力されている場合は、スピンドルモータ２の第２方向への回転を継続し、再生指示情報が入力されている場合は、スピンドルモータ２の第２方向への回転を停止することができる。これによってスピンドルモータ２の円滑な動作継続性を保つことができ、またはスピンドルモータ２の動作停止をすることができる。またスピンドルモータ２の第２方向への回転を継続することによって、スピンドルモータ２の回転力を記録用ヘッド３１に伝達することができるので、記録用ヘッド３１を退避位置と動作位置とにわたって変位にさせ、ディスクを記録可能状態または再生可能状態にすることができる。したがって簡単な構成で、ディスクの位置を検出して、必要に応じてスピンドルモータ２の回転の開始、継続または停止を行うことができる。
【０１４２】
またディスク案内部４３の移動によって検出部４４のスイッチング態様が切換えられる。したがってディスク案内部４３が、連結部４１と係合しているか否かで、ディスク案内部４３の位置、具体的には、ディスクが回転手段に装着される位置またはディスクが着脱操作可能な位置にあるかを検出することができる。したがって簡単な構成で、ディスクの位置を検出することができ、その検出結果に基づいて、回路システムが、タイミング良くスピンドルモータ２の回転を継続または停止するように制御するので、ディスクの排出または装入を円滑に移行させることができる。
【０１４３】
また回路システムは、ピックアップレバー３５の位置およびスピンドルモータ２の回転方向のうち、少なくともスピンドルモータ２の回転方向を制御することによって、連結部４１の伝達状態を切換えることができる。したがって簡単な構成で、連結部４１の伝達状態を切換え、スピンドルモータ２の駆動力を、ディスク案内部４３を装入方向および排出方向へ、ならびに記録用ヘッド３１を近接方向および退避方向へ変位させることができる。
【０１４４】
また回路システムは、スピンドルモータ２の第１方向への回転力のみによって、アイドラギヤ９を非噛合方向へ変位させ、非噛合位置に配置することができる。したがって簡単な構成でスピンドルモータ２の第1方向への回転力をディスク案内部４３および記録用ヘッド３１に伝達しない状態にすることができる。
【０１４５】
またスピンドルモータ２の第２方向への回転力のみでアイドラギヤ９を噛合位置に配置させることができ、またアイドラギヤ９を噛合位置に配置した状態で、ピックアップレバー３５を状態保持位置に配置することによって、アイドラギヤ９を非噛合位置へ変位させることなくスピンドルモータ２の第１方向への回転力を、ディスク案内部４３および記録用ヘッド３１に伝達することができ、記録用ヘッド３１を動作位置と退避位置に変位させることができる。したがって簡単な構成で、スピンドルモータ２の第１方向および第２方向への回転力を、ディスク案内部４３および記録用ヘッド３１に伝達することができ、ディスクの搬送および記録用ヘッド３１の変位の動作をすることができる。
【０１４６】
またアイドラギヤ９が非噛合位置に配置されるとき、スピンドルモータ２の回転力をディスク案内部４３および記録用ヘッド３１に伝達することなくディスクを回転させて再生または記録することができ、アイドラギヤ９が噛合位置に配置されるとき、スピンドルモータ２の回転力が、アイドラギヤに伝達され、またアイドラギヤの回転が作動ギヤに伝達されることによって、ディスク案内部４３および記録用ヘッド３１に伝達され、ディスクを搬送することができる。したがってアイドラギヤ９を非噛合位置または噛合位置に配置することによって、ディスクに対して情報を記録または再生することができ、ディスクを搬送することができるので、簡単な構成でディスクの搬送、記録用ヘッド３１の変位およびディスクの記録再生の動作をすることができ、ディスク記録再生装置装置を薄形化することができる。
【０１４７】
またアイドラギヤが噛合位置に配置される状態で、ディスク案内部４３の排出方向および装入方向への変位をスピンドルモータ２の回転方向で変位させることができるので、簡単な構成でディスク案内部４３の変位方向を切換えることができ、ディスクの自動搬送が可能となる。
【０１４８】
またアイドラギヤ９の噛合位置を選択することのみによって、スピンドルモータ２の第１および第２方向への回転で、ディスクの搬送、記録用ヘッド３１の変位およびディスクの記録再生の一連の動作を切換えることができる。したがって簡単な構成でディスクの搬送、記録用ヘッド３１の変位およびディスクの記録再生の動作をすることができ、ディスク記録再生装置を薄形化することができる。
【０１４９】
さらにディスク搬送動作と連動して記録部４５に設けられる記録用ヘッド３１を、動作位置と離反位置とにわたって変位することができる。換言すると、記録用ヘッド３１を動作位置に変位するとディスクに記録が可能となり、また記録用ヘッド３１を離反位置に変位すると、ディスクを再生およびディスクの搬送が可能となる。これによればディスク記録および再生のためのディスク回転に用いるスピンドルモータ２を、ディスクが回転手段に装着させる位置と、ディスクが着脱操作可能な位置とにわたって、ディスクを搬送することに用いることができる、スピンドルモータ２の製造コストの低減およびディスク記録再生装置の薄形化を実現することができる。
【０１５０】
また本発明は、前述した実施例に限定されるものではなく、特許請求の範囲内で種々の変更が可能であり、異なる実施形態にそれぞれ開示された技術的手段を適宜組み合わせて得られる実施形態についても、本発明の技術的範囲に含まれる。
【０１５１】
また本発明は、実施例としてＭＤレコーダーについて説明したが、これに限定されるものではなく、ＣＤおよびＤＶＤなどについても適用可能である。
【図面の簡単な説明】
【０１５２】
【図１】本発明の実施の一形態であるディスク記録再生装置の主要構成部品を示す平面図である。
【図２】図１に示されるディスク記録再生装置の主要構成部品を示す側面図である
【図３】図１に示されるディスク記録再生装置の主要構成部品を示す、ｅ−ｅの破線上で切断した場合の断面図である。
【図４】本発明の実施の一形態であるディスク記録再生装置の、図１に示される部品の上部空間に構成される部品を示す平面図である。
【図５】図４に示されるディスク記録再生装置の上部空間に構成される部品を示す側面図である。
【図６】図４に示されるディスク記録再生装置の部品の一部を抜出して示す平面図である。
【図７】図５に示されるディスク記録再生装置の一部を抜出して示す側面図である。
【図８】本発明の実施の一形態であるディスク記録再生装置の記録および再生時における、モータギヤ４、アイドラギヤ９、中間ギヤＡ１３、および中間ギヤＢ１４の噛合状態を示す平面図である。
【図９】本発明の実施の一形態であるディスク記録再生装置のディスク装入時の主要構成部品を示す平面図である。
【図１０】図９に示されるディスク記録再生装置のディスク装入時の主要構成部品を示す側面図である。
【図１１】本発明の実施の一形態であるディスク記録再生装置の、図９に示される記録用ヘッド３１とヘッドレバー３２を示す側面図である。
【図１２】本発明の実施の一形態であるディスク記録再生装置の記録状態へ移行時の主要構成部品を示す平面図である。
【図１３】図１２に示されるディスク記録再生装置の記録状態へ移行時の主要構成部品を示す側面図である。
【図１４】本発明の実施の一形態であるディスク記録再生装置の、図１２に示される記録用ヘッド３１とヘッドレバー３２を示す側面図である。
【図１５】本発明の実施の一形態であるディスク記録再生装置の記録状態から再生状態へ移行開始時の主要構成部品を示す平面図である。
【図１６】本発明の実施の一形態であるディスク記録再生装置の記録状態から再生状態へ移行完了時の主要構成部品を示す平面図である。
【図１７】本発明の実施の一形態であるディスク記録再生装置において、アイドラギヤ９が、モータギヤ４および中間ギヤＡ１３に噛合する噛合位置に配されている状態での主要構成物品を示す平面図である。
【図１８】従来の技術のディスク記録再生装置の主要構成部品を示す平面図である。
【図１９】図１８に示される従来の技術のディスク記録再生装置の主要構成部品を示す側面図である。
【図２０】従来の技術のディスク記録再生装置の、図１８に示される部品の上部空間に構成される部品を示す平面図である。
【０１５３】
【図２１】図２０に示される従来の技術のディスク記録再生装置の上部空間に配置される部品を示す側面図である。
【図２２】図２０に示される従来の技術のディスク記録再生装置の部品の一部を抜出して示す平面図である。
【図２３】図２１に示される従来の技術のディスク記録再生装置の部品の一部を抜出して示す側面図である。
【符号の説明】
【０１５４】
１  シャーシ
１ａ  ガイド孔
１ｂ  支持軸
１ｃ  支持軸
１ｄ  孔部
１ｆ  支持部
１ｇ  支持部
２  スピンドルモータ
２ａ  取付け板
２ｂ  モータ回転軸
３  ターンテーブル
４  モータギヤ
５  モータアーム
５ａ  支持軸
５ｂ  先端部
５ｃ  係止面
６  圧縮スプリング
７  ワッシャー
８  アイドラアーム
８ａ  アーム規制軸
９  アイドラギヤ
１０  ワッシャー
１２  ワッシャー
１３  中間ギヤＡ
１３ａ  大歯車部
１３ｂ  小歯車部
１４  中間ギヤＢ
１４ａ  大歯車部
１４ｂ  小歯車部
１６  カムギヤ
１６ａ  円筒部
１６ｂ  ギヤ部
１６ｃ  ボス部
１６ｄ  ボス部
１７  カムプレート
１７ａ  溝孔部
１７ｂ  ガイド孔
１７ｃ  ガイド孔
１８  ＳＷプレート
１８ａ  口型形状部
１８ｂ  一端部
１９  カートリッジホルダ
１９ａ  アーム部
１９ｃ  バーリング部
１９ｄ  ガイド孔
１９ｅ  支点軸
２０  スライダー
２０ａ  スライダーシャフト
２０ｂ  スライダーシャフト
２１  ホルダーアーム
２１ａ  支点孔
２１ｂ  支点孔
２１ｃ  バーリング部
２１ｄ  フック部
２２  ＬＤアーム
２２ａ  先端部
２２ｂ  二股形状部
２３  ＳＷプレートスプリング
２４  ローディング検出スイッチ
２５  装入位置検出スイッチ
２６  光ピックアップ
２６ａ  突出部
２６ｂ  外形部
３１  記録用ヘッド
３１ａ  本体
３１ｂ  一端
３１ｃ  コア部
３２  ヘッドレバー
３２ａ  支点孔
３２ｂ  壁面
３２ｃ  下端部
３２ｄ  支点孔
３３  カムレバー
３３ａ  支点孔
３３ｂ  ボス
３４  カムレバー検出スイッチ
３５  ピックアップレバー
３５ａ  フック部
３５ｂ  長孔
３５ｃ  長孔
３５ｄ  係止面
３６  ピックアップ検出スイッチ
３７  ピックアップ内周検出スイッチ
４０  駆動部
４１  連結部
４２  駆動伝達部
４３  ディスク案内部
４４  検出部
４５  記録部
４６  光ピックアップ検出部
５０  ディスクカートリッジ
６０  モータ制御部
７０  操作入力手段
８０  スプリング
８１  スプリング
【図１】
2006236444.tif 000003
【図２】
2006236444.tif 000004
【図３】
2006236444.tif 000005
【図４】
2006236444.tif 000006
【図５】
2006236444.tif 000007
【図６】
2006236444.tif 000008
【図７】
2006236444.tif 000009
【図８】
2006236444.tif 000010
【図９】
2006236444.tif 000011
【図１０】
2006236444.tif 000012
【図１１】
2006236444.tif 000013
【図１２】
2006236444.tif 000014
【図１３】
2006236444.tif 000015
【図１４】
2006236444.tif 000016
【図１５】
2006236444.tif 000017
【図１６】
2006236444.tif 000018
【図１７】
2006236444.tif 000019
【図１８】
2006236444.tif 000020
【図１９】
2006236444.tif 000021
【図２０】
2006236444.tif 000022
【図２１】
2006236444.tif 000023
【図２２】
2006236444.tif 000024
【図２３】
2006236444.tif 000025